(57)【要約】  疎水性活性材料（Ａ）を含有し及び／又はこれから成る疎水性相（Ｏ）を有するエマルジョン（Ｅ）であって、      −  連続相（Ｏ）、水性分散相（Ｗｉ）、及びこれら二相の界面における水溶性若しくは安定剤（Ｄｉ）としての水分散性多糖（これは平均重合度（ＤＰ）が少なくとも１．５、好ましくは少なくとも２０であり、１％水溶液としてのブルックフィールド粘度（２５℃）が２００００ｍＰａ．ｓ未満であり、親油性のポリオルガノシロキサン置換基をもたない。）を有する内部逆エマルジョン（Ｅｉ）と、      −  該内部エマルジョン（Ｅｉ）が分散している水性若しくは水混和性の外部相（Ｗｅ）とを含む複合エマルジョン（Ｅｍ）の形態にあるか、或いは、複合エマルジョン（Ｅｍ）として水中に分散可能な固体の形態（Ｅｓ）にあるエマルジョン（Ｅ）。該エマルジョン（Ｅ）は、水性媒体中（Ｂ）で使用されると、該水性媒体（Ｂ）中に存在するか又はこれに接触している基材（Ｓ）へ、疎水性活性材料を運搬することができる。【特許請求の範囲】
【請求項１】
少なくとも１種の疎水性活性材料（Ａ）を含有し及び／又はこれから成る液状若しくは溶解性の疎水性相（Ｏ）を有するエマルジョン（Ｅ）であって、前記エマルジョン（Ｅ）は：
・以下、
−  前記液状若しくは溶解性の疎水性連続相（Ｏ）、水性分散相（Ｗｉ）、及びこれら二相の界面における少なくとも１種の水溶性若しくは水分散性の安定剤（Ｄｉ）を有する内部逆エマルジョン（Ｅｉ）と
−  少なくとも１種の分散剤及び／又は安定剤（Ｄｅ）によって該内部エマルジョン（Ｅｉ）が分散している水性若しくは水混和性の外部相（Ｗｅ）と
を含む複合エマルジョン（Ｅｍ）の形態にあるか、
・以下、
−  水溶性若しくは水分散性の固体マトリクス（Ｍ）中に分散した前記逆エマルジョン（Ｅｉ）と
−  前記逆エマルジョン（Ｅｉ）と該マトリクス（Ｍ）の界面に位置し、随意に該マトリクス（Ｍ）中に分散している前記分散剤及び／又は安定剤（Ｄｅ）と
を含む固体の形態（Ｅｓ）（これは外部相（Ｗｅ）が水性である複合エマルジョン（Ｅｍ）として水中に分散可能である。）にあり、
前記エマルジョン（Ｅ）は、内部逆エマルジョン（Ｅｉ）の二相の界面における前記安定剤（Ｄｉ）が：
−  平均重合度（ＤＰ）が少なくとも１．５、好ましくは少なくとも２０、最も特別には少なくとも１００であり、
−  １質量％の水溶液としてのブルックフィールド粘度（２５℃）が２００００ｍＰａ．ｓ未満、好ましくは５０００ｍＰａ．ｓ未満、最も特別には１〜４５００ｍＰａ．ｓである、
水溶性若しくは水分散性の多糖（ＰＳＡ）から選択される材料で作られ、また、該多糖（ＰＳＡ）には親油性のポリオルガノシロキサン置換基をもたないことを特徴とするエマルジョン（Ｅ）。
【請求項２】
疎水性相（Ｏ）が、液状若しくは溶解性であり且つ水性相に不溶性の材料であって、少なくとも１種の有機若しくはオルガノシリコン材料で又は少なくとも１種の有機材料と少なくとも１種のオルガノシリコン材料との混合物で作られることを特徴とする請求項１に記載のエマルジョン。
【請求項３】
活性材料（Ａ）が、液状若しくは溶解性であり且つ水性相に不溶性の材料であって、少なくとも１種の有機若しくはオルガノシリコン材料で又は少なくとも１種の有機材料と少なくとも１種のオルガノシリコン材料との混合物で作られるか、水性相に不溶な少なくとも１種の固体若しくは液体の無機材料で作られるか、或いは、少なくとも１種の前記無機材料と少なくとも１種の前記有機材料及び／又は少なくとも１種の前記オルガノシリコン材料との混合物で作られることを特徴とする請求項１又は２に記載のエマルジョン。
【請求項４】
前記疎水性相（Ｏ）及び／又は前記活性材料（Ａ）は直鎖状、環状、分枝状若しくは架橋状のポリオルガノシロキサンで作られた油、ワックス又は樹脂であることを特徴とする請求項１〜３の何れか一項に記載のエマルジョン。
【請求項５】
前記ポリオルガノシロキサンは非イオン性又はアミノポリオルガノシロキサンであることを特徴とする請求項４に記載のエマルジョン。
【請求項６】
前記疎水性相（Ｏ）及び／又は前記活性材料（Ａ）が：
・  Ｃ1〜Ｃ30カルボン酸のモノ−，ジ−若しくはトリ−グリセリド又はそれらの混合物（特に植物油）
・  工業油（特に煮沸、吹き込み又はスタンド油化された亜麻仁油）
・  スクロエステル及びスクログリセリド
・  Ｃ1〜Ｃ30カルボン酸又はＣ2〜Ｃ30ジカルボン酸とＣ1〜Ｃ30アルコールとのエステル
・  Ｃ1〜Ｃ30カルボン酸とエチレングリコール又はプロピレングリコールとのモノエステル又はジエステル
・  プロピレングリコールＣ4〜Ｃ20アルキルエーテル
・  ジ（Ｃ8〜Ｃ30）アルキルエーテル
・  鉱物油（特にナフサ油、液状パラフィン及びポリブテン）
・  ４〜４０個の炭素原子をもつアルキル鎖を有する有機ワックス（特に動物ワックス、植物ワックス、鉱物ワックス、４〜３５個の炭素原子をもつ炭化水素ベースのワックス及び合成ワックス）
より選択される有機材料で作られることを特徴とする請求項１〜３の何れか一項に記載のエマルジョン。
【請求項７】
活性材料（Ａ）は、疎水性相（Ｏ）に含有され、そして、１または２種以上の香料分子、有機若しくはオルガノシリコンＵＶ安定剤、疎水性殺菌剤、固体ポリアミドカプセル、シリカ粒子、又はその他の酸化物鉱物若しくは化合物の粒子で作られることを特徴とする請求項１〜３の何れか一項に記載のエマルジョン。
【請求項８】
前記多糖（ＰＳＡ）又はその骨格は、直鎖状又は分枝状で、非イオン性又はイオン性のホモ多糖又はヘテロ多糖であり、β（１−４）結合を介して連結した同一の又は異なるグリコシル単位を有し、その他の結合（特にβ（１−３）及び／又はβ（１−６）結合）を随意に有することを特徴とする請求項１〜７の何れか一項に記載のエマルジョン。
【請求項９】
グリコシル単位の水酸基は、親油性ポリオルガノシロキサン基以外の非イオン性又はイオン性の基で置換及び／又は修飾されていることを特徴とする請求項８に記載のエマルジョン。
【請求項１０】
前記多糖（ＰＳＡ）が：
・  非イオン性基（好ましくはヒドロキシプロピル）、陰イオン性基（好ましくはカルボキシメチル）又は陽イオン性基（好ましくはヒドロキシプロピルトリメチルアンモニウムクロリド）によって随意に修飾又は置換された解重合ガラクトマンナン（好ましくはグアーガム）；
・  ０．３〜１．２未満、好ましくは０．３〜１の置換度のモノ酢酸セルロース；
・  ０．２〜１．５の修飾度のヒドロキシプロピルセルロース；
・  ０．０５〜１．２、好ましくは０．０５〜１の置換度のカルボキシメチルセルロース；
・  ヒドロキシエチル、ヒドロキシプロピル又は四級化アミノアルキル基を随意に含有するデキストリン；
・  キシログリカン、例えばタマリンドガム；
・  アラビノキシラン；
・  アルキルポリグリコシド（ＡＰＧ）；
から選択されることを特徴とする請求項８又は９に記載のエマルジョン。
【請求項１１】
水性分散相（Ｗｉ）／疎水性相（Ｏ）の質量比が５／９５〜９５／５、好ましくは３０／７０〜８０／２０の範囲であることを特徴とする請求項１〜１０の何れか一項に記載のエマルジョン。
【請求項１２】
安定剤（Ｄｉ）の質量／疎水性相（Ｏ）の質量の比率は０．１／１００〜５００／１００、好ましくは０．５／１００〜１００／１００、最も特別には０．５／１００〜５０／１００の範囲であることを特徴とする請求項１〜１１の何れか一項に記載のエマルジョン。
【請求項１３】
前記分散剤及び／又は安定剤（Ｄｅ）は親水性界面活性剤及び／又は親水性ポリマー及び／又は親水性両親媒性ポリマーから選択されることを特徴とする請求項１〜１２の何れか一項に記載のエマルジョン。
【請求項１４】
前記分散剤及び／又は安定剤（Ｄｅ）は：
（ａ）少なくとも１種の非イオン性親水性の界面活性剤
（ｂ）少なくとも１種の陰イオン性親水性の界面活性剤
（ｃ）少なくとも１種の陽イオン性親水性の界面活性剤
（ｄ）少なくとも１種の非イオン性親水性のポリマー
（ｅ）少なくとも１種の非イオン性親水性両親媒性のポリマー
（ｆ）少なくとも１種の陰イオン性親水性のポリマー
（ｇ）少なくとも１種の陰イオン性親水性両親媒性のポリマー
（ｈ）少なくとも１種の陽イオン性親水性のポリマー
（ｉ）少なくとも１種の陽イオン性親水性両親媒性のポリマー、又は
（ｊ）前記界面活性剤及び／又はポリマー（ａ）〜（ｄ）の適合性のある少なくとも２種類の混合物
から形成されることを特徴とする請求項１３に記載のエマルジョン。
【請求項１５】
外部相（Ｗｅ）中に存在する界面活性剤及び／又はポリマー（Ｄｅ）の全含量は、逆エマルジョン（Ｅｉ）に対して０．０１重量％〜５０重量％、好ましくは０．１重量％〜１０重量％、より好ましくは０．５重量％〜５重量％であることを特徴とする請求項１３又は１４に記載のエマルジョン。
【請求項１６】
前記親水性ポリマー（Ｄｅ）は少なくとも１種の水溶性又は水分散性の多糖（ＰＳＡ）（Ｄｉ）で作られるか又はこれを含むことを特徴とする請求項１３〜１５の何れか一項に記載のエマルジョン。
【請求項１７】
内部逆エマルジョン（Ｅｉ）と分散剤及び／又は安定剤（Ｄｅ）を含む外部相（Ｗｅ）との質量比が５０／５０〜９９／１、好ましくは７０／３０〜９８／２、もっとも特別には７０／３０〜８０／２０の範囲であることを特徴とする請求項１〜１６の何れか一項に記載のエマルジョン。
【請求項１８】
分散剤及び／又は安定剤（Ｄｅ）と内部逆エマルジョン（Ｅｉ）との質量比（固体として表して）が、０．０１／１００〜５０／１００、好ましくは０．１／１００〜１０／１００、最も特別には０．５／１００〜５／１００の範囲であることを特徴とする請求項１〜１７の何れか一項に記載のエマルジョン。
【請求項１９】
外部相（Ｗｅ）中の分散剤及び／又は安定剤（Ｄｅ）の濃度は１％〜５０％の範囲であることを特徴とする請求項１〜１８の何れか一項に記載のエマルジョン。
【請求項２０】
外部相（Ｗｅ）が水性相であることを特徴とする請求項１〜１９の何れか一項に記載のエマルジョン。
【請求項２１】
外部相（Ｗｅ）がアルコール又は水−アルコール相、好ましくはイソプロパノール又はエタノールであることを特徴とする請求項１〜１９の何れか一項に記載のエマルジョン。
【請求項２２】
疎水性相（Ｏ）に含有される又はこれを構成する活性材料（Ａ）が紡織繊維製物品用のケア剤又は洗剤から選択され、外部相（Ｗｅ）が少なくとも１種の非イオン性親水性界面活性剤と少なくとも１種の陰イオン性親水性界面活性剤と随意的な少なくとも１種の非イオン性親水性（両親媒性）ポリマーとの混合物から形成される分散剤及び／又は安定剤（Ｄｅ）を含有する水性液状洗剤処方物であることを特徴とする請求項１〜２０の何れか一項に記載のエマルジョン。
【請求項２３】
疎水性相（Ｏ）に含有される又はこれを構成する活性材料（Ａ）が紡織繊維製物品用のケア剤又は洗剤から選択され、外部相（Ｗｅ）が少なくとも１種の非イオン性親水性界面活性剤と少なくとも１種の陰イオン性親水性界面活性剤と随意的な少なくとも１種の非イオン性親水性（両親媒性）ポリマーとの混合物から形成される分散剤及び／又は安定剤（Ｄｅ）を含有する水混和性の非水性液状洗剤処方物であることを特徴とする請求項１〜１９及び２１の何れか一項に記載のエマルジョン。
【請求項２４】
疎水性相（Ｏ）に含有される又はこれを構成する活性材料（Ａ）が紡織繊維製物品用のケア剤から選択され、外部相（Ｗｅ）が少なくとも１種の陽イオン性親水性界面活性剤及び／又は少なくとも１種の陽イオン性親水性（両親媒性）ポリマー（少なくとも１種の非イオン性親水性界面活性剤及び／又は少なくとも１種の非イオン性親水性（両親媒性）ポリマーが随意に混合される。）から形成される分散剤及び／又は安定剤（Ｄｅ）を含有する水性液状すすぎ処方物であることを特徴とする請求項１〜２０の何れか一項に記載のエマルジョン。
【請求項２５】
疎水性相（Ｏ）に含有される又はこれを構成する活性材料（Ａ）が塗料分野の薬剤から選択され、外部相（Ｗｅ）が水性塗料であることを特徴とする請求項１〜２０の何れか一項に記載のエマルジョン。
【請求項２６】
疎水性相（Ｏ）に含有される又はこれを構成する活性材料（Ａ）が化粧分野の薬剤から選択され、外部相（Ｗｅ）が水性化粧用組成物であることを特徴とする請求項１〜２０の何れか一項に記載のエマルジョン。
【請求項２７】
エマルジョンが（Ｅｓ）の形態にあり、固体マトリクス（Ｍ）が：
−  分子量が２０００〜１００,０００ｇ／ｍｏｌのポリエチレングリコール
−  エチレン不飽和カルボン酸又はその無水物とエチレン不飽和非イオン性モノマーとのコポリマー
−  天然若しくは合成由来の水溶性若しくは水分散性ポリペプチド
−  分子量が２０，０００ｇ／ｍｏｌ未満、好ましくは１，０００〜５，０００ｇ／ｍｏｌの弱ポリ酸に属する酸の形態にあるポリ電解質
−  分子量が２０，０００ｇ／ｍｏｌ未満、好ましくは１，０００〜１０，０００ｇ／ｍｏｌのポリビニルピロリドン
−  分子量が１００，０００ｇ／ｍｏｌ未満で、好ましくは８０ｍｏｌ％〜９９ｍｏｌ％の脱アセチル化度であるポリビニルアルコール
−  水溶性若しくは水分散性の膜形成性両性ポリマー
−  水溶性若しくは水分散性の糖、配糖体又はポリホロシド
−  水溶性若しくは水分散性のアミノ酸又はアミノ酸塩
−  クエン酸
−  脂肪酸
−  尿素
−  界面活性剤（水−界面活性剤の二相図は、２５℃においては界面活性剤の濃度が少なくとも５０重量％になるまでは流体である等方相と、更に高濃度での六方晶又は立方晶型の硬質液晶相（少なくとも６０℃までは安定である。）とを有する。）
−  水溶性若しくは水分散性のアルカリ金属塩、例えばケイ酸アルカリ金属、炭酸塩、リン酸塩、硫酸塩、ホスホン酸塩、酢酸塩又はクエン酸塩、又は飽和若しくは不飽和脂肪酸のアルカリ金属塩、及び酢酸ナトリウムとクエン酸との混合物
−  或いは、これらの混合物
から選択される材料で作られたことを特徴とする請求項１〜１６の何れか一項に記載のエマルジョン。
【請求項２８】
基材（Ｓ）に接触する水性媒体（Ｂ）中で、少なくとも１種の疎水性活性材料（Ａ）を含有する及び／又はこれから成る疎水性相（Ｏ）を前記基材（Ｓ）に運搬するための請求項１〜２７の何れか一項に記載の主題を形成するエマルジョン（Ｅ）の使用。
【請求項２９】
前記基材（Ｓ）が任意の材料（特に金属又は任意の天然、人工若しくは合成材料、或いはこれらの材料の混合物）で作られる請求項２８に記載の使用。
【請求項３０】
建材、プラスター、セメント又は木材でできた表面上に撥水剤（該撥水剤は該表面上に塗料が付着して乾燥すると放出される。）を運搬するための塗料中での請求項２８又は２９に記載の使用。
【請求項３１】
化粧用又はボディケア用又はヘアケア用の疎水性活性材料（該疎水性材料は肌若しくは毛髪上に付着若しくは塗布されて乾燥すると放出される。）を運搬するための化粧用組成物中での請求項２８又は２９に記載の使用。
【請求項３２】
金属を処理するための処方物中での請求項２８又は２９に記載の使用。
【請求項３３】
肌に接触させることを意図した身体衛生又は家庭用クレンジングのためのセルロース及び／又は合成由来の織布若しくは不織布で出来た表面を製造又は後処理するための請求項２８又は２９に記載の使用。
【請求項３４】
厚紙又は厚紙梱包を製造又は後処理するための請求項２８又は２９に記載の使用。
【請求項３５】
基材（Ｓ）に接触する水性媒体（Ｂ）中で、少なくとも１種の疎水性活性材料（Ａ）を含有する及び／又はこれから成る疎水性相（Ｏ）を前記基材（Ｓ）に運搬するための請求項２８又は２９に記載の使用（前記水性媒体は前記エマルジョン（Ｅ）の希釈及び／又は前記エマルジョン（Ｅ）の希釈後の乾燥によってエマルジョン（Ｅ）の不安定化及び／又は破壊を引き起こし、そして、疎水性相（Ｏ）中に含有される又はこれを構成する活性材料（Ａ）の基材（Ｓ）への供給及び／又は放出を引き起こすのに充分な体積を有する。）。
【請求項３６】
複合エマルジョン（Ｅｍ）は内部エマルジョン（Ｅｉ）が少なくとも７０重量％を占めることを特徴とする請求項３５に記載の使用。
【請求項３７】
エマルジョン（Ｅｍ）と水性媒体（Ｂ）の相対的な量は前記エマルジョン（Ｅｍ）の体積の２倍〜１００倍希釈相当であることを特徴とする請求項３５又は３６に記載の使用。
【請求項３８】
疎水性活性材料をヒドロキシアパタイト表面、ケラチン表面又はテキスタイル表面に運搬し及び付着させるための請求項３５〜３７の何れか一項に記載の使用。
【請求項３９】
洗い流され又は希釈されることが意図される歯科又は口腔衛生用の処方物中での請求項３８に記載の使用。
【請求項４０】
ゆすぎ落とされる又は希釈されることが意図されるヘアケア及び／又はスキンケアのための化粧用処方物中での請求項３８に記載の使用。
【請求項４１】
疎水性相（Ｏ）及び／又は活性材料（Ａ）は紡織繊維製の物品用のケア剤又は洗剤から選択されることを特徴とする請求項３５〜３８の何れか一項に記載の使用。
【請求項４２】
洗剤組成物の場合はすすぎ操作中及び／又は主たる洗浄操作後の乾燥操作中に、すすぎ組成物の場合は乾燥操作中に、疎水性ケア剤及び／又は任意のその他の疎水性活性材料を運搬し、紡織繊維製（特に綿製）の物品上への前記剤又は材料の付着を促進することを目的とした、紡織繊維製の物品の洗浄又はすすぎを行うための洗剤組成物中の添加剤として、或いは紡織繊維製の物品の洗浄又はすすぎを行うための洗剤又はすすぎ組成物としての請求項３８〜４１の何れか一項に記載の使用。
【請求項４３】
エマルジョン（Ｅ）を基材（Ｓ）と共に水性媒体（Ｂ）に接触させることによって、水性媒体（Ｂ）に接触している基材（Ｓ）へ、請求項１〜２７の何れか一項に記載の主題を形成するエマルジョン（Ｅ）の液状若しくは溶解性の疎水性相（Ｏ）中に含有される又はこれを構成する少なくとも１種の活性材料（Ａ）を運搬する方法。
【請求項４４】
前記水性媒体（Ｂ）は、前記エマルジョン（Ｅ）の希釈及び／又は前記エマルジョン（Ｅ）の希釈後の乾燥によってエマルジョン（Ｅ）の不安定化及び／又は破壊を引き起こし、そして、疎水性相（Ｏ）中に含有される又はこれを構成する活性材料（Ａ）の基材（Ｓ）への供給及び／又は放出を引き起こすのに充分な体積を有することを特徴とする請求項４３に記載の方法。
【請求項４５】
エマルジョン（Ｅ）は内部エマルジョン（Ｅｉ）が少なくとも７０重量％を占める複合エマルジョン（Ｅｍ）であることを特徴とする請求項４４に記載の方法。
【発明の詳細な説明】
【技術分野】
【０００１】
本発明は、内部逆エマルジョンが疎水性活性材料を含む複合エマルジョン（Ｅｍ）の形態にあるか、又は水中油中水型の複合エマルジョン（Ｅｍ）として水分散可能である固体の形態（Ｅｓ）にあるエマルジョン（Ｅ）に関する。該エマルジョンは水性媒体中の基材へ前記疎水性活性材料を運搬するために使用することができる。該エマルジョンは特に、疎水性活性材料（例えば香料、疎水性ケア剤等）を（特に綿製の）テキスタイル物品へ運搬し、付着を促進することを目的として、紡織繊維製の物品を洗浄又はリンスするための洗剤又はすすぎ剤（リンス剤）中で又は洗剤又はすすぎ剤として使用することができる。
【背景技術】
【０００２】
親水性活性材料を運搬するために水中油中水（Ｗ／Ｏ／Ｗ）型の複合エマルジョンを使用することが提案されている。
【０００３】
斯くして、ＥＰ−Ａ−９３０  ９３３では水中油中水型の複合エマルジョン中に含まれる有効成分を制御放出するための方法を特許請求している。該方法では：
−  前記複合エマルジョンは、少なくとも１種の親水性有効成分を含有する水性相Ａ１をもつ逆エマルジョンＥｉを含み、前記エマルジョンＥｉはダイレクトエマルジョンＥｄの液滴の形態で水性連続相Ａ２中に分散し、該二種類のエマルジョンＥｄ及びＥｉは各連続相中に存在する少なくとも１種の界面活性剤で安定化しており、そして
−  前記複合エマルジョンを充分な量の薬剤と接触させ、ダイレクトエマルジョンに変換し、エマルジョンＥｉの水性相Ａ１中に含まれる有効成分の水性相Ａ２への放出を誘発する
ことを特徴とする。
【０００４】
エマルジョンＥｄの連続水性相Ａ２中に存在する界面活性剤は水溶性レシチン、蔗糖エステル、脂肪酸エステル、ポリオキシエチレン化アルキルアミド、硫酸トリグリセリド、硫酸アルキル、硫酸アルキルエーテル、スルホン酸アルキル、アルキルアミン塩、脂肪アミン、リポアミノ酸、アルキルベタイン、アルキルポリグリコールエーテル、アルキレンオキシド共重合体、改質ポリエステル及びシリコンポリマー界面活性剤から選択するのが好ましい。
【０００５】
エマルジョンＥｉの連続相中に存在する界面活性剤は脂溶性レシチン、ソルビタンの脂肪酸エステル、ジポリヒドロキシステアリン酸ポリアルキレン、脂肪酸、モノグリセリド、ポリグリセロールエステル、ポリリシノール酸ポリグリセリル、乳酸エステル及び酒石酸エステルから選択するのが好ましい。
【０００６】
エマルジョンＥｉの連続相は鉱物、植物及び動物油から選択される少なくとも１種の油で構成される油相である。
【０００７】
ダイレクトエマルジョンＥｄは１％〜５０％の逆エマルジョンＥｉ当たり５０容量％〜９９容量％の連続相Ａ２を有するのが好ましい。
【０００８】
逆エマルジョンＥｉは１％〜５０％の水性相Ａ１当たり５０容量％〜９９容量％の連続相で構成されるのが好ましい。
【０００９】
また、内部の水性相が親水性活性材料を含んだ水中油中水（Ｗ／Ｏ／Ｗ）型複合エマルジョンを乾燥することによって得た顆粒を製造することも公知の手法である。
【００１０】
斯くして、ＷＯ  ０２／３２５６３は外部水性相に分散した逆エマルジョンを乾燥することによって得ることのできる顆粒を特許請求している。ここで、
（ａ）逆エマルジョンは内部水性相を有し、該内部水性相は内部油相に分散した少なくとも１種の親水性活性材料を有し、該内部油相は少なくとも１種の非イオン性若しくは陽イオン性の界面活性剤及び／又は少なくとも１種の非イオン性若しくは陽イオン性の両親媒性ポリマーを有し、
（ｂ）外部水性相は：
−  少なくとも１種の非イオン性ポリオキシアルキレン化界面活性剤及び／又は少なくとも１種の非イオン性ポリオキシアルキレン化両親媒性ポリマー、並びに
−  （ｉ）少なくとも１種のカルボン酸モノマー、及び少なくとも１種のエチレン不飽和モノマー、及び／又は少なくとも１種のエチレン不飽和カルボン酸ポリオキシアルキレン化エステルの重合によって得たポリマー；（ｉｉ）少なくとも１種の疎水性グラフトを随意に有する少なくとも１種のカルボン酸モノマーの重合によって誘導したポリマー；（ｉｉｉ）少なくとも１種の疎水性グラフトを随意に有する天然又は合成由来のポリペプチド；（ｉｖ）少なくとも１種の疎水性グラフトを随意に有する高度に解重合した多糖；から選択される少なくとも１種の水溶性又は水分散性化合物を有する。
上記顆粒は複合エマルジョンとして水性媒体中に再分散することが可能である。
【発明の開示】
【発明が解決しようとする課題】
【００１１】
本発明の目的は、油相が疎水性活性材料からなり（若しくはこれを有し）、水性媒体中で使用すると、該疎水性活性材料を該水性媒体中に存在又はこれに接触する基材へ運搬することの可能な、複合エマルジョンの形態にある又は複合エマルジョンとして再分散可能な乾燥した形態にあるエマルジョンである。
【課題を解決するための手段】
【００１２】
本発明の第一主題は、少なくとも１種の疎水性活性材料（Ａ）を含有し及び／又はこれら成る液状若しくは溶解性の疎水性相（Ｏ）を有するエマルジョン（Ｅ）で構成され、前記エマルジョン（Ｅ）は：
・以下、
−  前記液状若しくは溶解性の疎水性連続相（Ｏ）、水性分散相（Ｗｉ）、及びこれら二相の界面における少なくとも１種の水溶性若しくは水分散性の安定剤（Ｄｉ）を有する内部逆エマルジョン（Ｅｉ）と
−  少なくとも１種の分散剤及び／又は安定剤（Ｄｅ）によって該内部エマルジョン（Ｅｉ）が分散している水性若しくは水混和性の外部相（Ｗｅ）と
を含む複合エマルジョン（Ｅｍ）の形態にあるか、
・以下、
−  水溶性若しくは水分散性の固体マトリクス（Ｍ）中に分散した前記逆エマルジョン（Ｅｉ）と
−  前記逆エマルジョン（Ｅｉ）と該マトリクス（Ｍ）の界面に位置し、該マトリクス（Ｍ）中に随意に分散している前記分散剤及び／又は安定剤（Ｄｅ）と
を含む固体の形態（Ｅｓ）（これは外部相（Ｗｅ）が水性である複合エマルジョン（Ｅｍ）として水中に分散可能である。）にあり、
前記エマルジョン（Ｅ）は、内部逆エマルジョン（Ｅｉ）の前記二相の界面における前記安定剤（Ｄｉ）が：
−  平均重合度（ＤＰ）が少なくとも１．５、好ましくは少なくとも２０、最も特別には少なくとも１００であり、
−  １質量％の水溶液としてのブルックフィールド粘度（２５℃）が２００００ｍＰａ．ｓ未満、好ましくは５０００ｍＰａ．ｓ未満、最も特別には１〜４５００ｍＰａ．ｓである、
水溶性若しくは水分散性の多糖（ＰＳＡ）から選択される材料で作られ、また、該多糖（ＰＳＡ）には親油性のポリオルガノシロキサン置換基が存在しないことを特徴とする。
【００１３】
逆エマルジョン（Ｅｉ）
本発明によれば、疎水性相（Ｏ）は少なくとも１種の疎水性活性材料（Ａ）を含有し及び／又はこれから成る。
疎水性相（Ｏ）及び／又は活性材料（Ａ）は、液状若しくは溶解性であり且つ水性相に不溶性の材料であって、少なくとも１種の有機若しくはオルガノシリコン材料で又は少なくとも１種の有機材料と少なくとも１種のオルガノシリコン材料との混合物で作られる。
【００１４】
活性材料（Ａ）が疎水性相（Ｏ）に含有されるときは、活性材料（Ａ）は水性相に不溶な少なくとも１種の固体若しくは液体の無機材料で作ること、或いは、少なくとも１種の無機材料と少なくとも１種の有機材料及び／又は少なくとも１種のオルガノシリコン材料との混合物で作ることもできる。
【００１５】
本発明によれば、疎水性相（Ｏ）又は活性材料（Ａ）を構成する材料は、その重量の１５％未満、好ましくは１０％未満が内部水性相（Ｗｉ）及び（存在するときは）外部相（Ｗｅ）に溶解するときに、不溶性であるとみなす。この溶解度は２０℃から逆エマルジョン（Ｅｉ）及び複合エマルジョン（Ｅｍ）又は固体形態のエマルジョン（Ｅｓ）を調製する温度までの温度範囲にて適用される。
【００１６】
前記疎水性相（Ｏ）の融点は、好ましくは１００℃に等しいか又はそれ未満、より好ましくは８０℃に等しいか又はそれ未満である。
【００１７】
疎水性相（Ｏ）を構成する前記材料はオルガノシリコン材料（Ｏ１）で作ることもできる。該材料はとりわけ、直鎖状、環状、分枝状若しくは架橋状ポリオルガノシロキサンで作られた油、ワックス又は樹脂である。
【００１８】
該ポリオルガノシロキサンは、（Carrimed（登録商標）CSL2-500粘度計を使用して）２５℃、１５００Ｐａの圧力に対して剪断速度０．０１Ｈｚで測定して、動粘度が１０4〜１０9ｃＰであるのが好ましい。
【００１９】
該ポリオルガノシロキサンは特に：
・  非イオン性ポリオルガノシロキサン
・  少なくとも１種の陽イオン性又は潜在的に陽イオン性の官能基をもつポリオルガノシロキサン
・  少なくとも１種の陰イオン性又は潜在的に陰イオン性の官能基をもつポリオルガノシロキサン
・    少なくとも１種の陽イオン性又は潜在的に陽イオン性の官能基と少なくとも１種の陰イオン性又は潜在的に陰イオン性の官能基とをもつ両性ポリオルガノシロキサン
とすることができる。
【００２０】
好ましくは、該ポリオルガノシロキサンは非イオン性又はアミノポリオルガノシロキサンである。
【００２１】
ポリオルガノシロキサンの例としては：
＞  一般式（Ｉ）：
（Ｒ）a（Ｘ）bＳｉ（Ｏ）[4-(a+b)]/2        （Ｉ）
で表される非イオン性オルガノシロキシ単位から形成した直鎖状、環状又は架橋状のポリオルガノシロキサンが挙げられる。
式中：
・  記号Ｒは、同一の又は異なるものであって、１〜４個の炭素原子をもつ直鎖状又は分枝状の炭化水素ベースのアルキル基であるか、アリール基（特にフェニル基）であり；
・  記号Ｘは、同一の又は異なるものであって、水酸基、１〜１２個の炭素原子をもつ直鎖状若しくは分枝状のアルコキシ基、又はＯＣＯＲ’基（但し、Ｒ’は１〜１２個の炭素原子、好ましくは１個の炭素原子をもつアルキル基を表す。）であり；
・  ａは０、１、２又は３に等しく；
・  ｂは０、１、２又は３に等しく；
・  ａ＋ｂは０、１、２又は３に等しい。
前記ポリオルガノシロキサンは少なくとも実質的に直鎖状であるのが好ましく、最も好ましくは直鎖状である。具体例としては特に、α，ω−ビス（ヒドロキシ）ポリジメチルシロキサン油、ビス（トリメチル）ポリジメチルシロキサン油、環状ポリジメチルシロキサン及びポリメチルフェニルシロキサンが挙げられる。
【００２２】
また、ポリオルガノシロキサンの例としては：
＞  一般式（ＩＩ）：
（Ｒ）a（Ｘ）b（Ｂ）cＳｉ（Ｏ）[4-(a+b+c)]/2        （ＩＩ）
で表される少なくとも１つのイオン性若しくは非イオン性オルガノシロキシ単位を１モル当たりに有する直鎖状、環状又は架橋状のポリオルガノシロキサンが挙げられる。
式中：
・  記号Ｒは、同一の又は異なるものであって、１〜４個の炭素原子をもつ直鎖状又は分枝状の一価の炭化水素ベースのアルキル基であるか、アリール基（特にフェニル基）であり；
・  記号Ｘは、同一の又は異なるものであって、水酸基、１〜１２個の炭素原子をもつ直鎖状若しくは分枝状のアルコキシ基、又はＯＣＯＲ’基（但し、Ｒ’は１〜１２個の炭素原子、好ましくは１個の炭素原子をもつアルキル基を表す。）であり；
・  記号Ｂは、同一の又は異なるものであって、最大３０個の炭素原子をもち、１個又は２個以上の酸素及び／又は窒素及び／又は硫黄ヘテロ原子で随意に割り込まれ、１個又は２個以上のエーテル、エステル、チオール、ヒドロキシ、随意に四級化したアミン又はカルボキシ基を随意に有する脂肪族及び／又は芳香族及び／又は環状の炭化水素ベースの基であり（記号Ｂは、好ましくはＳｉ−Ｃ−結合を介して、ケイ素に結合している。）；
・  ａは０、１又は２に等しく；
・  ｂは０、１又は２に等しく；
・  ｃは０、１又は２に等しく；
・  ａ＋ｂ＋ｃは１、２又は３に等しい。
【００２３】
上記の式（ＩＩ）中の記号（Ｂ）に対応する置換基の例としては：
−  次式のポリエーテル基
−（ＣＨ2）n−（ＯＣ2Ｈ4）m−（ＯＣ3Ｈ6）p−ＯＲ’
（式中、ｎは２又は３に等しく、ｍ及びｐはそれぞれ０〜３０の範囲であり、Ｒ’は１〜１２個の炭素原子、好ましくは１〜４個の炭素原子をもつアルキル残基を表す。）
−  次式で表されるような１級、２級、３級又は４級アミノ基
−Ｒ1−Ｎ（Ｒ2）（Ｒ3）
（式中：
＊  記号Ｒ1は、１個又は２個以上の窒素又は酸素原子で随意に割り込まれた、２〜６個の炭素原子をもつアルキレン基を表し、
＊  記号Ｒ2及びＲ3は、同一でも異なっていてもよく、
・  Ｈ、
・  １〜１２個の炭素原子、好ましくは１〜６個の炭素原子をもつアルキル又はヒドロキシアルキル基、
・  アミノアルキル基（好ましくは１級であり、そのアルキル基は１個又は２個以上の窒素及び／又は酸素原子で随意に置換され及び／又は割り込まれた１〜１２個の炭素原子、好ましくは１〜６個の炭素原子をもつ。
前記アミノ基は、例えばハロゲン化水素酸、又はハロゲン化アルキル若しくはアリールで随意に四級化される。）
が挙げられる。
特に次式で表されるものが挙げられる。
−（ＣＨ2）3ＮＨ2                   （ＣＨ2）3ＮＨ3＋Ｘ−
−（ＣＨ2）3Ｎ（ＣＨ3）2            （ＣＨ2）3Ｎ＋（ＣＨ3）2（Ｃ18Ｈ37）Ｘ−
−（ＣＨ2）3ＮＨＣＨ2ＣＨ2ＮＨ2      −（ＣＨ2）3Ｎ（ＣＨ2ＣＨ2ＯＨ）2
−（ＣＨ2）3Ｎ（ＣＨ2ＣＨ2ＮＨ2）2
【００２４】
好ましくは、アミノ基をもつポリオルガノシロキサンはその鎖中に、１００個のケイ素原子当たり全体で、０．１〜５０、好ましくは０．３〜１０、最も特別には０．５〜５個のアミノ官能性ケイ素原子を含有する。アミノ官能基は：
−  式ＩＩＩの立体障害ピペリジル基：
【化１】
2007519506.tif 000002
（式中、
＊  Ｒ4は二価の炭化水素ベースの基であり；
◆２〜１８個の炭素原子を含有する直鎖状又は分枝状のアルキレン基；
◆直鎖状又は分枝状のアルキレン部分が２〜２０個の炭素原子をもつアルキレンカルボニル基；
◆直鎖状又は分枝状のアルキレン部分が２〜１２個の炭素原子をもち、シクロヘキシレン部分がＯＨ基を有し、１〜４個の炭素原子をもつアルキル基を１つ又は２つ随意に有するアルキレン−シクロヘキシレン基；
◆式−Ｒ7−Ｏ−Ｒ7で表される基（Ｒ7基は、同一でも異なるものであってもよく、１〜１２個の炭素原子をもつアルキレン基を表す。）；
◆式−Ｒ7−Ｏ−Ｒ7で表される基（Ｒ7基は上記と同様であり、それらのいずれか又は両方は１又は２個の−ＯＨ基で置換されている。）；
◆式−Ｒ7−ＣＯＯ−Ｒ7で表される基（Ｒ7基は上記と同様。）；
◆−Ｒ8−Ｏ−Ｒ9−Ｏ−ＣＯ−Ｒ8で表される基（Ｒ8基及びＲ9基は同一でも異なっていてもよく、２〜１２個の炭素原子をもつアルキレン基を表し、Ｒ9基は水酸基で随意に置換される。）；
から選択され；
＊  Ｕは−Ｏ−又は−ＮＲ10−（Ｒ10は水素原子、１〜６個の炭素原子をもつ直鎖状又は分枝状のアルキル基及び下式の二価基から選ばれる基を表す。）
【化２】
2007519506.tif 000003
（式中、Ｒ4は上記と同様であり、Ｒ5及びＲ6は下記に与える意味を有し、Ｒ11は１〜１２個の炭素原子をもつ直鎖状又は分枝状の二価アルキレン基を表し、一方の原子価結合（Ｒ11の原子価結合）は−ＮＲ10−の原子に結合され、他方の原子価結合（Ｒ4の原子価結合）はケイ素原子に結合されている。）；
＊  Ｒ5基は同一の又は異なるものであり、１〜３個の炭素原子をもつ直鎖状又は分枝状のアルキル基及びフェニル基から選択され；
＊  Ｒ6基は水素基又はＲ5基又はＯ・を表す。）
であるか、或いは；
−  式ＩＶの立体障害ピペリジル基：
【化３】
2007519506.tif 000004
（式中、
＊  Ｒ’4は下式の三価基：
【化４】
2007519506.tif 000005
（但し、ｍは２〜２０の数を表す。）及び、
下式の三価基：
【化５】
2007519506.tif 000006
（但し、ｐは２〜２０の数を表す。）から選ばれ；
＊  Ｕ’は−Ｏ−又はＮＲ12−を表し（Ｒ12は水素原子、１〜６個の炭素原子をもつ直鎖状又は分枝状のアルキル基から選択される基である。）；
＊  Ｒ5及びＲ6は上記式ＩＩＩで与えた意味と同様である。）
である。
【００２５】
好ましくは、立体障害的アミン基をもつ前記ポリオルガノシロキサンは、式（Ｖ）で表される直鎖状、環状、又は三次元的なポリオルガノシロキサンである。
【化６】
2007519506.tif 000007
式中：
（１）記号Ｚは、同一でも異なっていてもよく、下記Ｒ1又は記号Ｂを表し；
（２）記号Ｒ1、Ｒ2及びＲ3は、同一でも異なっていてもよく、１〜４個の炭素原子をもつ直鎖状又は分枝状のアルキル基、１〜４個の炭素原子をもつ直鎖状又は分枝状のアルコキシ基、フェニル基から選択される１価の炭化水素ベースの基を表し、好ましくは、水酸基、エトキシ基、メトキシ基又はメチル基を表し；
（３）記号Ｂは、同一でも異なっていてもよい官能基であり、上記のものから選ばれる立体障害ピペリジル基を含む基を表し；そして
（４）基Ｂを有しないオルガノシロキシ単位の数は１０〜４５０、好ましくは５０〜２５０であり；基Ｂを有するオルガノシロキシ単位の数は１〜５、好ましくは１〜３であり；０≦ｗ≦１０及び８＜ｙ＜４４８である。
最も好ましくは、前記ポリオルガノシロキサンは直鎖状である。
【００２６】
疎水性相（Ａ）として使用することのできる市販のポリオルガノシロキサンの例としては、Ｒｈｏｄｉａ社より販売されているＲｈｏｄｏｒｓｉｌ（登録商標）２１６４５及びＲｈｏｄｏｒｓｉｌ（登録商標）Ｅｘｔｒａｓｏｆｔの油が特に挙げられる。
【００２７】
疎水性相（Ｏ）を構成する前記材料は有機材料（Ｏ２）で作ることができる。
例としては：
−  Ｃ1〜Ｃ30カルボン酸のモノ−，ジ−若しくはトリ−グリセリド又はそれらの混合物、例えば植物油（菜種油、ヒマシ油、ヒマワリ油、エルカ菜種油、亜麻仁油等）
−  工業油、例えばＮＯＶＡＮＣＥ社より販売されている煮沸、吹き込み又はスタンド油化された亜麻仁油）
−  スクロエステル及びスクログリセリド
−  Ｃ1〜Ｃ30カルボン酸又はＣ2〜Ｃ30ジカルボン酸とＣ1〜Ｃ30アルコールとのエステル
−  Ｃ1〜Ｃ30カルボン酸とエチレングリコール又はプロピレングリコールとのモノエステル又はジエステル
−  プロピレングリコールＣ4〜Ｃ20アルキルエーテル
−  ジ（Ｃ8〜Ｃ30）アルキルエーテル
−  鉱物油、例えばナフサ油、液状パラフィン（石油ゼリー）及びポリブテン）
−  ４〜４０個の炭素原子をもつアルキル鎖を有する有機ワックス
が挙げられる。
上記ワックスの中では、特に：
・  動物ワックス（蜜蝋、ラノリン、鯨油）、
・  植物ワックス（カルナウバ蝋、カンデリラ蝋、サトウキビ蝋又はホホバ蝋）、
・  化石鉱物ワックス（モンタン蝋、オゾケライト又はＵｔａｈ蝋）、
・  ４〜３５個の炭素原子をもつ炭化水素ベースのワックス（鉱物油、パラフィン及びミクロクリスタリンワックス）、
・  合成ワックス、例えばポリオレフィン（ポリエチレン又はポロプロピレン）、ステロン及びカーボワックス、
が挙げられる。
【００２８】
活性材料（Ａ）は疎水性相（Ｏ）を構成することができ又は疎水性相（Ｏ）に含有されることもできる。活性材料（Ａ）が疎水性相（Ｏ）に含有されるときは、活性材料（Ａ）は該疎水性相（Ｏ）に可溶性、部分可溶性又は不溶性であってよい。
【００２９】
疎水性相（Ｏ）に含有される活性材料（Ａ）としては特に、芳香性分子、有機若しくはオルガノシリコンＵＶ安定剤、疎水性殺菌剤、固体ポリアミドカプセル、シリカ粒子又はその他の酸化物鉱物や化合物等のような他の疎水性材料が挙げられる。
【００３０】
安定剤（Ｄｉ）
安定剤（Ｄｉ）は：
−  平均重合度（ＤＰ）が少なくとも１．５、好ましくは少なくとも２０、最も特別には少なくとも１００であり、
−  １質量％の水溶液としてのブルックフィールド粘度（２５℃）が２００００ｍＰａ．ｓ未満、好ましくは５０００ｍＰａ．ｓ未満、最も特別には３０〜４５００ｍＰａ．ｓである、
水溶性若しくは水分散性の多糖（ＰＳＡ）から選択される材料で作られ、また、該多糖（ＰＳＡ）には親油性のポリオルガノシロキサン置換基が存在しない。
【００３１】
本明細書において“水溶性若しくは水分散性”とは、該多糖（ＰＳＡ）が２５℃の内部水性相（Ｗｉ）中で巨視的な二相溶液を形成することがないことを意味する。
【００３２】
本明細書において“親油性”とは、“親水性”の反意語として用いられ、すなわち、水に対して親和性がないことをいう。このことは、該多糖（ＰＳＡ）が有しないポリオルガノシロキサン基があると、それ自身で、１０重量％の濃度で、２５℃の蒸留水中で巨視的な二相溶液を形成することを意味する。
【００３３】
本発明によれば、１容量％のＨＣｌ水溶液中に多糖（ＰＳＡ）を１質量％含有する溶液のブルックフィールド粘度（２５℃）は、４０℃で２４時間熟成した後に、以下によって決定することができる。
【００３４】
材料及び試薬
材料
・  ８００ｍＬの低側面ビーカー
・  ２５０ｍＬのフラスコ
・  Ｒａｙｎｅｒｉ社製の解膠パドル（直径６５ｍｍ）の付いた５００ｒｐｍを得るための攪拌モーター
・  Ｎｏ．２スピンドル（遊星型又は円盤型）の付いたブルックフィールドＬＶＴ粘度計
・  ４０℃に設定したオーブン
試薬
・  蒸留水
・  １０容量％の塩酸（分析グレードで３７％の塩酸２７．０ｇ（密度＝１．１９）を蒸留水約５０ｍＬの入った１００ｍLのフラスコに入れる。蒸留水で１００ｍＬとする。）
【００３５】
手順  
・  光沢紙上に多糖０．９ｇを秤量する
・  ８００ｍＬビーカー中に２６９．１ｇの水を秤量する
・  該水の攪拌を開始し、次いで２０〜３０秒かけて該粉末をボルテックスの端に加える。５００ｒｐｍで３０分間攪拌する。
・  攪拌中、該溶液に５〜１０秒かけて１０％塩酸を３０ｇ導入する。５００ｒｐｍで５分間更に攪拌する。
・  該溶液を２５０ｍＬのフラスコに移して４０℃のオーブン内に置く。
・  ２４時間後、オーブンからフラスコを取り出して溶液の温度を室温（２０〜２５℃）に戻す。
・  Ｎｏ．２スピンドル（遊星型）の付いたブルックフィールド粘度計を３ｒｐｍに設定して該溶液の粘度を計測する。表示（Ｎ）が安定した後に読み取る。
【００３６】
結果の表示
１％ＨＣｌ溶液中に多糖（ＰＳＡ）を１％含有する溶液の見かけ粘度η
η＝１００×Ｎ
【００３７】
“平均重合度”とは多糖１モル当たりのグリコシル単位の平均数を意味する。
【００３８】
前記多糖（ＰＳＡ）はホモ多糖又はヘテロ多糖であり、直鎖状又は分枝状であってよく、非イオン性又はイオン性であってよい。前記多糖（ＰＳＡ）は、随意的に、親油性ポリオルガノシロキサン基以外の非イオン性又はイオン性の基で置換及び／又は修飾することができる。好ましくは、前記多糖（ＰＳＡ）又はその骨格は、β（１−４）結合を介して連結した同一の又は異なるグリコシル単位を有する。また、前記多糖（ＰＳＡ）又はその骨格は、β（１−４）結合と共に、その他の結合（特にβ（１−３）及び／又はβ（１−６）結合）を有することができる。
【００３９】
前記同一の又は異なるグリコシル単位は特にヘキソース及び／又はペントース単位とすることができる。
【００４０】
（同一の又は異なる）ヘキソース単位の中では、特にＤ−グルコース、Ｄ−若しくはＬ−ガラクトース、Ｄ−マンノース、Ｄ−若しくはＬ−フコース及びＬ−ラムノース等の単位が挙げられる。（同一の又は異なる）ペントース単位の中では、特にＤ−キシロース、Ｌ−若しくはＤ−アラビノース等の単位が挙げられる。
【００４１】
グリコシル単位の水酸基は非イオン性、イオン性又はイオン化可能基で修飾及び／又は置換することができる。
【００４２】
上記基が非イオン性の修飾基であるときは、該修飾基は糖骨格の炭素原子に直接又は−Ｏ−結合を介して特に連結することができる。
【００４３】
非イオン性基の中では：
・  １個若しくは２個以上の酸素及び／又は窒素ヘテロ原子で随意に割り込まれた１〜２２個の炭素原子をもつアルキル基、
・  ６〜１２個の炭素原子をもつアリール又はアリールアルキル基
・  １〜６個の炭素原子をもつヒドロキシアルキル又はシアノアルキル基
・  多糖骨格の水酸基−ＯＨの水素を、少なくとも１つの酸単位を有する基で置換することによって得た“エステル”基（該酸単位は炭素、硫黄又はリンを特に含有する。例えば、特にカルボニルＲ−（ＣＯ）−、スルホニルＲ−ＳＯ2−、ホスホリルＲ2Ｐ（Ｏ）−及びヒドロキシホスホリルＲ−Ｐ（Ｏ）（ＯＨ）−基が挙げられる。該酸基は多糖骨格の残留酸素原子と“エステル”単位を形成する。アルキル、アルケニル又はアリール基Ｒは１〜２０個の炭素原子を有することができ、また、カルボニル、スルホニル等の単位に直接連結したヘテロ原子（例えば窒素）を有することもでき、こうしてウレタン等の種類の結合を形成することができる。）
が挙げられる。
【００４４】
例としては：
・  エーテル、エステル、アミド又はウレタン結合を介して多糖骨格の炭素原子に連結したメチル、エチル、プロピル、イソプロピル、ブチル、ヘキシル、オクチル、ドデシル、オクタデシル及びフェニル基、
・  −Ｏ−結合を介して多糖骨格の炭素原子に連結したシアノエチル、ヒドロキシエチル、ヒドロキシプロピル又はヒドロキシブチル基、
・  アセテート、プロパノエート、トリフルオロアセテート、２−（２−ヒドロキシ−１−オキソプロポキシ）プロパノアート、ラクタート、グリコラート、ピルベート、クロトネート、イソバレレート、シンナメート、ホルメート、サリチレート、カルバメート、メチルカルバメート、ベンゾエート、グルコネート、メタンスルホネート及びトルエンスルホネート基；フマル酸、マロン酸、イタコン酸、シュウ酸、マレイン酸、琥珀酸、酒石酸、アスパラギン酸、グルタミン酸又はリンゴ酸のヘミエステル基；から選択される“エステル”基（とりわけ、アセテート、ヘミアセテート及び２−（２−ヒドロキシ−１−オキソプロポキシ）プロパノアート）が挙げられる。
【００４５】
非イオン性修飾基による多糖の修飾度ＭＳはグリコシル１単位当たりに反応した非イオン性修飾基の前駆体の平均モル数に対応する。修飾度ＭＳは前記修飾基の前駆体の種類に応じて変化し得る。
【００４６】
前記前駆体が新たな反応性水酸基を形成する能力がない場合（例えばアルキル前駆体）、非イオン性修飾基による修飾度は３未満と定義する。
前記前駆体が新たな反応性水酸基を形成する能力ある場合（例えばヒドロキシアルキル前駆体）、修飾度ＭＳは理論的には制限されず、例えば最大６、好ましくは最大２とすることができる。
修飾度ＭＳは一般には少なくとも０．００１、好ましくは少なくとも０．０１である。
【００４７】
陰イオン性又は陰イオン化可能な基の中では、１個又は２個以上のカルボキシレート、スルホネート、サルフェート、ホスフェート、ホスホネート等の基を含むものが挙げられる。
【００４８】
とりわけ、式：
・ -[-CH2-CH(R)-O]x-(CH2)y-COOH又は
・ -[-CH2-CH(R)-O]x-(CH2)y-COOM
（式中、
Ｒは水素原子又は１〜４個の炭素原子をもつアルキル基であり、
ｘは０〜５の整数であり、
ｙは０〜５の整数であり、
Ｍはアルカリ金属を表す。）
のものが挙げられる。
【００４９】
最も特別には糖骨格の炭素原子に直接連結したカルボキシル基−ＣＯＯ-Ｎａ+、糖骨格の炭素原子に−Ｏ−結合を介して連結したカルボキシメチル基（ナトリウム塩）−ＣＨ２−ＣＯＯ-Ｎａ+が挙げられる。
【００５０】
陽イオン性又は潜在的に陽イオン性の基の中では、１個又は２個以上のアミノ、アンモニウム、ホスホニウム、ピリジニウム等の基を含むものが挙げられる。
とりわけ、式：
・ -NH2
・ -[-CH2-CH(R)-O]x-(CH2)y-COA-R'-N(R'')2 
・ -[-CH2-CH(R)-O]x-(CH2)y-COA-R'-N+(R''')3   X-
・ -[-CH2-CH(R)-O]x-(CH2)y-COA-R'-NH-R''''-N(R'')2 
・ -[-CH2-CH(R)-O]x-R'-N(R'')2 
・ -[-CH2-CH(R)-O]x-R'-N+(R''')3   X-
・ -[-CH2-CH(R)-O]x-R'-NH-R''''-N(R'')2 
・ -[-CH2-CH(R)-O]x-Y-R''
（式中、
・  Ｒは水素原子又は１〜４個の炭素原子をもつアルキル基であり、
・  ｘは０〜５の整数であり、
・  ｙは０〜５の整数であり、
・  Ｒ’は１個又は２個以上のＯＨ置換基を随意に有する１〜１２個の炭素原子をもつアルキレン基であり、
・  基Ｒ’’は、同一の又は異なるものであってよく、水素原子又は１〜１８個の炭素原子をもつアルキル基であり、
・  基Ｒ’’’は、同一の又は異なるものであってよく、１〜１８個の炭素原子をもつアルキル基であり、
・  Ｒ’’’’は、１〜６個の炭素原子をもつ直鎖状、分枝状又は環状のアルキレン基であり、
・  ＡはＯ又はＮＨを表し、
・  Ｙは５〜２０個の炭素原子と、窒素ヘテロ原子をもつヘテロ環脂肪族基であり、
・  Ｘ-は対イオン、好ましくはハロゲン化物イオン（特に塩化物イオン、臭化物イオン又はヨウ化物イオン）である。）
の陽イオン性又は潜在的に陽イオン性の基が挙げられ、
更には対イオン、好ましくはハロゲン化物イオン（特に塩化物イオン、臭化物イオン又はヨウ化物イオン）をもつＮ−アルキルピリジニウム基（アルキル基は１〜１８個の炭素原子をもつ。）
が挙げられる。
【００５１】
陽イオン性又は潜在的に陽イオン性の基の中では、最も特別には：
・  -NH2
・  -CH2-CONH-(CH2)2-N(CH3)2 
・  -CH2-COO-(CH2)2-NH-(CH2)2-N(CH3)2
・  -CH2-CONH-(CH2)3-NH-(CH2)2-N(CH3)2
・  -CH2-CONH-(CH2)2-NH-(CH2)2-N(CH3)2
・  -CH2-CONH-(CH2)2-N+(CH3)3   Cl-
・  -CH2-CONH-(CH2)3-N+(CH3)3   Cl-
・  -(CH2)2-N(CH3)2 
・  -(CH2)2-NH-(CH2)2-N(CH3)2 
・  -(CH2)2-N+(CH3)3   Cl-
・最も優先的には２−ヒドロキシプロピルトリメチルアンモニウムクロリド
-CH2-CH(OH)-CH2-N+(CH3)3  Cl-
・塩化物の対イオンをもつ、式：
【化７】
2007519506.tif 000008
で表されるＮ−メチルピリジニウムのようなピリジニウム基
・一般式：
【化８】
2007519506.tif 000009
（式中、ＲはＣＨ3又はＨを表す。）
で表される、ＨＡＬＳアミンから誘導したもののようなヒンダードアミノ基
が挙げられる。
【００５２】
ベタイン基の中では、最も特別には：
【化９】
2007519506.tif 000010
２−メチル（３−スルホプロピル）イミダゾリウム基、
【化１０】
2007519506.tif 000011
（２−スルホベンジル）イミダゾリウム基、
【化１１】
2007519506.tif 000012
（３−スルホプロピル）ピリジニウム基、
-(CH2)2-N+(CH3)2-(CH2)2-COO- エチルジメチルアンモニウムベタイン基、
-(CH2)2-N+(CH3)2-(CH2)3-SO3- スルホプロピルジメチルアンモニウム基
が挙げられる。
【００５３】
置換度ＤＳは、グリコシル単位当たりの前記イオン性又はイオン化可能な基で置換されたグリコシル単位の水酸基の平均数に対応する。通常は３未満であり、好ましくは２未満である。
【００５４】
本発明において使用することのできる多糖（ＰＳＡ）には天然又は合成の多糖が挙げられ、これは酸若しくは塩基加水分解により、又は酸化的、熱的若しくは酵素的経路により、化学的に修飾及び／又は置換及び／又は分解（解重合）されているのが好ましい。
【００５５】
例としては：
（特に酸化的に）解重合され、非イオン性基（特にヒドロキシプロピル）、陰イオン性基（特にカルボキシメチル）又は陽イオン性基（例えばヒドロキシプロピルトリメチルアンモニウムクロリド）によって随意に修飾又は置換されたガラクトマンナン（特にグアーガム）が挙げられる。これはブルックフィールド粘度（１％水溶液中）が３０〜４５００ｍＰａ．ｓ、好ましくは６０〜３５００ｍＰａ．ｓとすることができる。
【００５６】
特に：
・  酸化的に解重合されたグアー（酸化媒体中での解重合により数個のＣＯＯＨ+を含有する。）、例えばＲｈｏｄｉａ社より販売されているＭｅｙｐｒｏ−Ｇａｔ７、Ｍｅｙｐｒｏ−Ｇａｔ２０及びＭｅｙｐｒｏ−Ｇａｔ３０（商品名）；
・  約０．０１〜０．８の修飾度のヒドロキシプロピル解重合グアー、例えばＲｈｏｄｉａ社のＨＭＰ−ＣＯＮ（商品名）；
・  約０．０５〜１．６の置換度のカルボキシメチル解重合グアー、例えばＲｈｏｄｉａ社より販売されているＭｅｙｐｒｏ−Ｇｕｍ  Ｒ６００（商品名）；
・  約０．０４〜０．１７、好ましくは０．０６〜０．１４の置換度の陽イオン化解重合グアー、例えばＲｈｏｄｉａ社より販売されているＭｅｙｐｒｏ−Ｃｏａｔ２１又はＡｑｕａｌｏｎ社より販売されているＡｑｕａＣａｔ  ＣＧ５１８；
修飾セルロース、例えば：
・  ０．３〜１．２未満、好ましくは０．３〜１の置換度のモノ酢酸セルロース；
・  約０．２〜１．５の修飾度のヒドロキシプロピルセルロース、例えばＡｑｕａｌｏｎ社より販売されているＰｒｉｍａｆｌｏ  ＨＰ２２；
・  ０．０５〜１．２、好ましくは０．０５〜１の置換度のカルボキシメチルセルロース、例えばＨｅｒｃｕｌｅｓ社のＢｌａｎｏｓｅ  Ｃｅｌｌｕｌｏｓｅ  Ｇｕｍ及びＡｑｕａｌｏｎ社のＬｉｂｅｒｔｙ３７９４；
・  ヒドロキシエチル、ヒドロキシプロピル又は四級化アミノアルキル基を随意に含有するデキストリン（ヒドロキシエチル、ヒドロキシプロピル又は四級化アミノアルキル基で随意に化学的に修飾したデンプンの分解）；
・  キシログリカン、例えばＳａｉｇｕｒｕ  Ｆｏｏｄ社のタマリンドガムＩｎｓｔａｓｏｌ１２００又はＲｈｏｄｉａ社のＭｅｙｐｒｏ−Ｇｕｍ  Ｔ１２；
・  アラビノキシラン；
・  Ｃ4〜Ｃ20、好ましくはＣ8〜Ｃ18のアルキル基を有し、アルキルポリグリコシド（ＡＰＧ）１ｍｏｌ当たりグルコース単位の平均数が約１．５〜１０、好ましくは約１．５〜４、より一般には約１．６〜２．７であるアルキルポリグリコシド（ＡＰＧ）、例えばＵＳ４，５６５，６４７にて言及されているもの；
が挙げられる。
【００５７】
内部水性相（Ｗｉ）
内部逆エマルジョン（Ｅｉ）の水性液滴（Ｗｉ）の平均径は最大１０μｍまで、好ましくは０．０５μｍから５μｍ、より好ましくは０．１〜１μｍの範囲とすることができる。
【００５８】
平均径は体積メジアン径（ｄ５０）に相当し、これは５０％の累積分布に等しい粒子の直径を表す。例えばＨｏｒｉｂａ社の粒度計又は光学顕微鏡を用いて測定することができる。
【００５９】
水性分散相（Ｗｉ）のｐＨは０〜１４、好ましくは２〜１１、より好ましくは５〜１１の範囲とすることができる。
【００６０】
水性分散相（Ｗｉ）は、浸透圧を調節するための添加剤、例えば塩（塩化ナトリウム又は硫酸ナトリウム、塩化カルシウム等）又は糖（グルコース）又は多糖（デキストラン等）を含むことができる。
【００６１】
また、水性分散相（Ｗｉ）は緩衝剤、親水性活性材料、特に抗菌剤、例えばメチルクロロイソチアゾリノン及びメチルイソチアゾリノン（Ｒｈｏｍ＆Ｈａａｓ社より販売されているＫａｔｈｏｎ（登録商標）ＣＧ）、その他の水溶性若しくは水分散性材料、更には疎水性相（Ｏ）中に不溶性の疎水性材料を含むことができる。
【００６２】
本発明の良好な実施のために、水性分散相（Ｗｉ）／疎水性相（Ｏ）の質量比は５／９５〜９５／５、好ましくは３０／７０〜８０／２０の範囲とすることができる。
【００６３】
安定剤（Ｄｉ）の質量／疎水性相（Ｏ）の質量の比率は０．１／１００〜５００／１００、好ましくは０．５／１００〜１００／１００、最も特別には０．５／１００〜５０／１００の範囲とすることができる。
【００６４】
逆エマルジョン（Ｅｉ）は慣例の方法で得ることができる。
例えば、多糖（ＰＳＡ）を水中に溶解及び／又は分散させ、次に得られた水性溶液及び／又は分散液を疎水性相（Ｏ）に攪拌しながら添加することによって得ることができる。
攪拌はフレームパドル、遊星型ミキサー、又は可動式ドクターブレード及び反対方向に回転するパドル（向流攪拌）の付いたミキサーを用いて実施するのが有利となり得る。
逆エマルジョン（Ｅｉ）の調製は、疎水性相として用いる材料の融点よりも高く、逆エマルジョンの組成物中に含まれる成分の分解点よりも低い温度で一般に実施される。とりわけ、温度は１０〜８０℃である。
攪拌時間は当業者であれば難なく決定することができる。上述したように、逆エマルジョンの水性液滴の平均径を１０μｍ未満とするのに充分な時間であるのが好ましい。
逆エマルジョン（Ｅｉ）の種々の成分量は既述した。
【００６５】
複合エマルジョン（Ｅｍ）
複合エマルジョン（Ｅｍ）は、水性若しくは水混和性の外部相（Ｗｅ）中に分散した内部エマルジョンとして上記逆エマルジョン（Ｅｉ）を含有し、少なくとも１種の分散剤及び／又は安定剤（Ｄｅ）を含有する。
前記分散剤及び／又は安定剤（Ｄｅ）は親水性の傾向を有する。
好ましくは、前記分散剤及び／又は安定剤（Ｄｅ）は親水性界面活性剤及び／又は親水性ポリマー及び／又は両親媒性親水性ポリマーから選択される。
“親水性”は“水に対して親和性を有する”という通常の意味で使用される。このことは分散剤及び／又は安定剤（Ｄｅ）が２５℃の蒸留水中で巨視的な二相溶液を形成することがないことを意味する。
好ましくは、外部相（Ｗ）は水性相である。
【００６６】
とりわけ、界面活性剤及び／又はポリマー（Ｄｅ）はバンクロフトの法則を満足し、好ましくは以下の両方の条件を満たす化合物から選択される。
−  ２０〜３０℃として外部水性相の０．１〜１０重量％の濃度で該相と混合すると、該濃度範囲の全部又は一部において溶液の形態であること
−  ２０〜３０℃として内部疎水性相（Ｏ）の０．１〜１０重量％の濃度で該相と混合すると、該濃度範囲の全部又は一部において分散液の形態であること
【００６７】
本発明の良好な実施のために、前記分散剤及び／又は安定剤（Ｄｅ）は：
（ａ）少なくとも１種の非イオン性親水性の界面活性剤
（ｂ）少なくとも１種の陰イオン性親水性の界面活性剤
（ｃ）少なくとも１種の陽イオン性親水性の界面活性剤
（ｄ）少なくとも１種の非イオン性親水性のポリマー
（ｅ）少なくとも１種の非イオン性親水性両親媒性のポリマー
（ｆ）少なくとも１種の陰イオン性親水性のポリマー
（ｇ）少なくとも１種の陰イオン性親水性両親媒性のポリマー
（ｈ）少なくとも１種の陽イオン性親水性のポリマー
（ｉ）少なくとも１種の陽イオン性親水性両親媒性のポリマー、又は
（ｊ）前記適合性の界面活性剤及び／又はポリマー（ａ）から（ｄ）の少なくとも２種類の混合物
から形成することができる。
【００６８】
ここで、“適合性”とは混合した界面活性剤が問題としている媒体中で非分散形態の集塊を形成させることがないことを意味する。
【００６９】
外部相（Ｗｅ）中に存在する界面活性剤及び／又はポリマー（Ｄｅ）の全含量は、逆エマルジョン（Ｅｉ）に対して０．０１重量％〜５０重量％、好ましくは０．１重量％〜１０重量％、より好ましくは０．５重量％〜５重量％とすることができる。
【００７０】
好ましくは、非イオン性親水性の界面活性剤のＨＬＢ値は疎水性相（Ｏ）に要求されるＨＬＢに少なくとも等しい。指針としては、この最小ＨＬＢ値は通常少なくとも１０である。該界面活性剤はポリアルコキシ化されているのが好ましい。
【００７１】
有利には、ポリアルコキシ化非イオン性界面活性剤は以下の界面活性剤の単独物又は混合物から選択することができる。
−  アルコキシ化脂肪アルコール
−  アルコキシ化モノ−，ジ−，及びトリグリセリド
−  アルコキシ化脂肪酸
−  アルコキシ化ソルビタンエステル
−  アルコキシ化脂肪アミン
−  アルコキシ化ビス（１−フェニルエチル）フェノール
−  アルコキシ化トリス（１−フェニルエチル）フェノール
−  アルコキシ化アルキルフェノール
（より特別にはエトキシ及び／又はプロポキシ化である。）
【００７２】
例示的には、エトキシ化及び随意にプロポキシ化した単位の合計数は１０〜１００である。
【００７３】
陰イオン性親水性の界面活性剤の中では：
−  アルキルエステルスルホネート、
−  硫酸アルキル、及びそのポリアルコキシ化（エトキシ化（ＥＯ）又はプロポキシ化（ＰＯ）、又はその混合）誘導体、例えばドデシル硫酸ナトリウム；
−  硫酸アルキルエーテル、及びそのポリアルコキシ化（エトキシ化（ＥＯ）又はプロポキシ化（ＰＯ）、又はその混合）誘導体、例えばラウリル硫酸エーテル（ｎ＝２）；
−  硫酸アルキルアミド、及びそのポリアルコキシ化（エトキシ化（ＥＯ）又はプロポキシ化（ＰＯ）、又はその混合）誘導体；
−  飽和若しくは不飽和脂肪酸の塩；並びに
−  アルキル及び／又はアルキルエーテル及び／又はアルキルアリールエーテルリン酸エステル；
が挙げられる。
【００７４】
分散剤及び／又は安定剤（Ｄｅ）中に存在することのできる陽イオン性親水性の界面活性剤の中では、式Ｒ1Ｒ2Ｒ3Ｒ4Ｎ+Ｘ-（式中、基Ｒは長鎖又は短鎖のアルキル、ヒドロキシアルキル又はエトキシ化アルキルの炭化水素ベースの鎖であり、Ｘは対イオン（Ｒ1はＣ8〜Ｃ22、好ましくはＣ8〜Ｃ10又はＣ12〜Ｃ14のアルキル基であり、Ｒ2はメチル基であり、Ｒ3及びＲ4は、同一の若しくは異なるものであってよく、メチル又はヒドロキシメチル基である。）で表される四級アンモニウム塩；更には陽イオン性エステル、例えばコリンエステルが挙げられる。
【００７５】
使用することのできる非イオン性親水性ポリマーに関しては、安定剤（Ｄｉ）として既述した非イオン性で水溶性若しくは水分散性の多糖（ＰＳＡ）が挙げられる。例えば：
・  約０．２〜１．５の修飾度のヒドロキシプロピルセルロース、又は
・  ０．３〜１．２の置換度のモノ酢酸セルロース
がある。
【００７６】
非イオン性の親水性両親媒性ポリマーに関しては、一方が親水性で他方が疎水性である少なくとも二つのブロックを含み、少なくとも一つのブロックはポリアルコキシ化単位（とりわけポリエトキシ化及び／又はポリプロポキシ化単位）を含むポリアルコキシ化合物であるのが好ましい。
【００７７】
より特別には、前記非イオン性ポリアルコキシ化親水性両親媒性ポリマーは、（ポリエチレングリコール標準を用いたＧＰＣで測定して）重量平均分子量が１００，０００ｇ／ｍｏｌに等しいか又はそれ未満、好ましくは１，０００〜５０，０００ｇ／ｍｏｌ、より好ましくは１，０００〜２０，０００ｇ／ｍｏｌのポリマーから選択される。
【００７８】
この種のポリマーの例としては、特に、ポリエチレングリコール／ポリプロピレングリコール／ポリエチレングリコールのトリブロックポリマーが挙げられる。該ポリマーは周知であり、商品名Ｐｌｕｒｏｎｉｃ（ＢＡＳＦ社）及びＡｒｌａｔｏｎｅ（ＩＣＩ社）によって特に販売されている。
【００７９】
前記非イオン性の親水性両親媒性ポリマーは、少なくとも１種の非イオン性親水性モノマー及び少なくとも１種の疎水性モノマーを重合することによって得られる親水性両親媒性のブロックポリマーとすることもできる。これらのモノマーの比率及び性質は得られるポリマーが前述した条件（バンクロフトの法則−２条件）を満足するようにする。該ポリマーは少なくとも一つの疎水性ブロック及び少なくとも一つの中性（非イオン性）親水性ブロックを有する。
【００８０】
前記ポリマーが少なくとも三つのブロック（より特別には三つのブロック）を有するとき、該ポリマーは直鎖状であるのが有利である。更に、親水性ブロックはより特別には両端に見出される。
【００８１】
該ポリマーが少なくとも三つのブロックよりも多く有するとき、それらのポリマーはグラフト又はくし型ポリマーの形態であるのが好ましい。
【００８２】
親水性両親媒性ポリマーの疎水性ブロックを調製することのできる疎水性モノマーの中では、特に：
−  少なくとも一つのエチレン不飽和をもつ直鎖状、分枝状、環状若しくは芳香族のモノカルボン酸又はポリカルボン酸のエステル、
−  ８〜３０個の炭素原子をもち、水酸基を随意にもつ飽和カルボン酸のエステル
−  α，β−エチレン不飽和ニトリル、ビニルエーテル、ビニルエステル、ビニル芳香族モノマー、及びビニル若しくはビニリデンハライド、
−  少なくとも一つのエチレン不飽和をもつ直鎖状若しくは分枝状、芳香族若しくは非芳香族の炭化水素ベースのモノマー、
−  環状若しくは非環状シロキサン型モノマー及びクロロシラン；
−  プロピレンオキシド又はブチレンオキシド；
の単独物又は混合物、更には上記モノマーから誘導したマクロモノマーが挙げられる。
【００８３】
具体例としては：
−  １〜１２個の炭素原子をもつアルコールとの（メタ）アクリル酸エステル、例えばメチル（メタ）アクリレート、エチル（メタ）アクリレート、プロピル（メタ）アクリレート、ｎ−ブチル（メタ）アクリレート、ｔ−ブチル（メタ）アクリレート、イソブチル（メタ）アクリレート又は２−エチルヘキシルアクリレート；
−  酢酸ビニル、ビニルＶｅｒｓａｔａｔｅ（登録商標）、プロピオン酸ビニル、塩化ビニル、塩化ビニリデン、メチルビニルエーテル又はエチルビニルエーテル；
−  ビニルニトリル（より特別には３〜１２個の炭素原子をもつもの、例えば、とりわけアクリロニトリル及びメタクリロニトリル）；
−  スチレン、α−メチルスチレン、ビニルトルエン、ブタジエン及びクロロプレン；
の単独物又は混合物、更には上記モノマーから誘導したマクロモノマーが挙げられる。
【００８４】
好ましいモノマーは、直鎖状若しくは分枝状のＣ1〜Ｃ4アルコールとアクリル酸のエステル（例えばアクリル酸メチル、アクリル酸エチル、アクリル酸プロピル及びアクリル酸ブチル）、ビニルエステル（例えば酢酸ビニル）、スチレン及びα−メチルスチレンである。
【００８５】
ブロック親水性両親媒性ポリマーを得ることのできる非イオン性親水性モノマーに関しては、エチレンオキシド；少なくとも一つのエチレン不飽和をもつ直鎖状、分枝状、環状若しくは芳香族のモノカルボン酸又はポリカルボン酸のアミド、或いはその誘導体（例えば（メタ）アクリルアミド又はＮ−メチロール（メタ）アクリルアミド）；（メタ）アクリル酸から誘導した親水性エステル（例えば２−ヒドロキシエチル（メタ）アクリレート）；加水分解後にポリビニルアルコールブロックが得られるビニルエステル（例えば酢酸ビニル、ビニルＶｅｒｓａｔａｔｅ（登録商標）又はプロピオン酸ビニル）が挙げられる。これらのモノマーは単独で又は混合して使用することができ、更にはマクロモノマーの形態とすることもできる。“マクロモノマー”とは、使用する方法によって重合可能な１個又は２個以上の官能基をもつ巨大分子を指すことが想起される。
好ましい親水性モノマーはアクリルアミド及びメタクリルアミドの単独物又は混合物、或いはマクロモノマーの形態にある。
【００８６】
好ましくは、非イオン性親水性両親媒性ポリマーのＨＬＢ値は疎水性相（Ｏ）に要求されるＨＬＢに少なくとも等しい。指針としては、最小ＨＬＢ値は通常少なくとも１０である。
【００８７】
使用できる陰イオン性親水性ポリマーの中では、安定剤（Ｄｉ）として上述した陰イオン性で水溶性又は水分散性の多糖（ＰＳＡ）が挙げられる。例えば：
・  酸化的に解重合されたグアー（酸化媒体中での解重合により数個のＣＯＯＨ+基を含有する。）、例えばＲｈｏｄｉａ社より販売されているＭｅｙｐｒｏ−Ｇａｔ７、Ｍｅｙｐｒｏ−Ｇａｔ２０及びＭｅｙｐｒｏ−Ｇａｔ３０（商品名）；
・  約０．０１〜０．８の修飾度のヒドロキシプロピル解重合グアー、例えばＲｈｏｄｉａ社のＨＭＰ−ＣＯＮ（商品名）；
・  約０．０５〜１．６の置換度のカルボキシメチル解重合グアー、例えばＲｈｏｄｉａ社より販売されているＭｅｙｐｒｏ−Ｇｕｍ  Ｒ６００（商品名）；
である。
【００８８】
使用できる陰イオン性親水性両親媒性ポリマーの中では、少なくとも１種の陰イオン性親水性モノマー、随意的な少なくとも１種の非イオン性親水性モノマー、及び少なくとも１種の疎水性モノマーを重合することによって得られるブロックポリマー（好ましくはジブロック又はトリブロックポリマー）を特に挙げることができる。
また、この場合、モノマーの選択及びそれぞれの比率は得られるポリマーが前述した二条件（バンクロフトの法則）を満足するようにする。
親水性両親媒ブロックポリマーを得ることのできる陰イオン性親水性モノマーに関しては：
−  直鎖状、分枝状、環状若しくは芳香族のモノカルボン酸又はポリカルボン酸、及びそのような酸のＮ−置換誘導体；少なくとも１個のエチレン不飽和を有するポリカルボン酸モノエステル；
−  直鎖状、分枝状、環状又は芳香族のビニルカルボン酸；
−  １個又は２個以上のエチレン不飽和を有するアミノ酸；
の単独物又は混合物、これらの前駆物質、これらのスルホン又はホスホン誘導体、更にはこれらのモノマーから誘導したマクロモノマーを挙げることができ；モノマー又はマクロモノマーは塩の形態であってもよい。
より特別には：
−  アクリル酸、メタクリル酸、フマル酸、イタコン酸、シトラコン酸、マレイン酸、アクリルアミドグリコール酸、２−プロペン−１−スルホン酸、メタリルスルホン酸、スチレンスルホン酸、α−アクリルアミドメチルプロパンスルホン酸、２−スルホエチレンメタクリレート、スルホプロピルアクリル酸、ビス（スルホプロピル）アクリル酸、ビス（スルホプロピル）メタクリル酸、スルファトエチルメタクリル酸、ヒドロキシエチルメタクリル酸のリン酸モノエステル、更にはそれらのアルカリ金属塩（例えば、ナトリウム又はカリウム塩）、又はアンモニウム塩；
−  ビニルスルホン酸、ビニルベンゼンスルホン酸、ビニルホスホン酸、ビニリデンホスホン酸及びビニル安息香酸、更にはアルカリ金属塩（例えばナトリウム又はカリウム塩）、又はアンモニウム塩；
−  Ｎ−メタクリロイルアラニン又はＮ−アクリロイルヒドロキシグリシン；
の単独物又は混合物、更にはこれらのモノマーから誘導したマクロモノマーを挙げることができる。
非イオン性親水性モノマー及び疎水性モノマーの例は上述してある。
【００８９】
使用することのできる陽イオン性親水性ポリマーの中では、安定剤（Ｄｉ）として上述した陽イオン性で水溶性又は水分散性の多糖（ＰＳＡ）が挙げられる。例えば：
・  約０．０４〜０．１７、好ましくは０．０６〜０．１４の置換度の陽イオン化解重合グアー、例えばＲｈｏｄｉａ社より販売されているＭｅｙｐｒｏ−Ｃｏａｔ２１又はＡｑｕａｌｏｎ社より販売されているＡｑｕａＣａｔ  ＣＧ５１８；
が挙げられる。
【００９０】
本発明の第一の好適な実施形態によれば、分散剤及び／又は安定剤（Ｄｅ）は非イオン性親水性界面活性剤及び／又は非イオン性親水性（両親媒性）ポリマーから選択され；より好ましくは、前記非イオン性親水性界面活性剤及び／又は非イオン性親水性（両親媒性）ポリマーは疎水性相（Ｏ）に要求されるＨＬＶに少なくとも等しいＨＬＢ値をもつ。指針としては、最小ＨＬＢ値は通常少なくとも１０である。
親水性両親媒性剤（Ｄｅ）は最も特別には非イオン性親水性両親媒性ポリマーである。
【００９１】
本発明の第二の好適な実施形態によれば、分散剤及び／又は安定剤（Ｄｅ）は少なくとも１種の非イオン性親水性界面活性剤と少なくとも１種の陰イオン性親水性界面活性剤との混合物であり、随意的に少なくとも１種の非イオン性親水性（両親媒性）ポリマーと組み合わせる。
【００９２】
本発明の第三の実施形態によれば、分散剤及び／又は安定剤（Ｄｅ）は、少なくとも１種の非イオン性親水性界面活性剤及び／又は少なくとも１種の非イオン性親水性（両親媒性）ポリマーを随意に混合した陽イオン性親水性界面活性剤及び／又は陽イオン性親水性（両親媒性）ポリマーから選択される。非イオン性界面活性剤及び／又は非イオン性ポリマーが存在するときは、陽イオン性／非イオン性混合物の重量の最大５０重量％を占めることができる。
【００９３】
第四の実施形態によれば、分散剤及び／又は安定剤（Ｄｅ）は少なくとも１種の非イオン性、陰イオン性又は陽イオン性で水溶性又は水分散性の多糖（ＰＳＡ）、或いはそれらの適合性混合物を材料とする安定剤（Ｄｉ）から選択される。少なくと１種のその他の適合性のある分散剤及び／又は安定剤（Ｄｅ）をそこに随意に加えてもよい。好ましくは、水溶性又は水分散性の多糖（ＰＳＡ）以外の随意的な分散剤及び／又は安定剤（Ｄｅ）の質量は、分散剤及び／又は安定剤（Ｄｅ）として使用される水溶性若しくは水分散性の多糖（ＰＳＡ）の質量を超えない。
【００９４】
複合エマルジョン（Ｅｍ）の外部相（Ｗｅ）の量は複合エマルジョン（Ｅｍ）に対して所望される濃度に依存する。
逆エマルジョン（Ｅｉ）の質量対分散剤及び／又は安定剤（Ｄｅ）を含む外部相（Ｗｅ）の質量比は５０／５０〜９９／１、好ましくは７０／３０〜９８／２、最も特別には７０／３０〜８０／２０の範囲とすることができる。
固体で表して、分散剤及び／又は安定剤（Ｄｅ）の質量対内部逆エマルジョン（Ｅｉ）の質量の比率は０．０１／１００〜５０／１００、好ましくは０．１／１００〜１０／１００、最も特別には０．５／１００〜５／１００の範囲とすることができる。
外部相（Ｗｅ）中の分散剤及び／又は安定剤（Ｄｅ）の濃度は１％〜５０％の範囲とすることができる。
【００９５】
好ましくは、エマルジョン（Ｅ）は、内部エマルジョン（Ｅｉ）が７０重量％を占める複合エマルジョン（Ｅｍ）である。
外部相（Ｗｅ）中に分散している内部逆エマルジョン（Ｅｉ）の小滴の平均径は好ましくは２００μｍ未満であり；好ましくは１〜２０μｍ、より好ましくは５〜１５μｍの範囲とすることができる。
本発明の良好な実施のために、外部相（Ｗｅ）中に分散している内部逆エマルジョン（Ｅｉ）の小滴の平均径は、疎水性相中に分散している内部水性相（Ｗｉ）の液滴の平均径よりも少なくとも２倍、好ましくは少なくとも５倍、最も特別には少なくとも１０倍の大きさである。
【００９６】
外部相（Ｗｅ）は水性相又は水混和性の非水性相とすることができる。“水混和性”とは２５℃で巨視的な二相溶液を形成することがないことを意味する。
外部相（Ｗｅ）が水混和性の非水性相のときは、外部相（Ｗｅ）は特にアルコール又は水−アルコール相（とりわけイソプロピルアルコール、エタノール等をベースとした相）である。
好ましくは、外部相（Ｗｅ）は水性相である。
外部水性相のｐＨは限定的ではなく、本発明の用途に依存する。ｐＨは０〜１４、好ましくは２〜１１、より好ましくは５〜１１の範囲とすることができる。
指針としては、洗剤浴中に存在するファブリック表面に疎水性活性材料を運搬するためにエマルジョン（Ｅｍ）を使用するケースでは、濃縮された複合エマルジョン（Ｅｍ）の外部水性相（Ｗｅ）のｐＨは５〜１１、好ましくは６〜８の範囲とすることができる。
【００９７】
外部相（Ｗｅ）は、好ましくは水性であるが、親水性活性材料、特に抗菌剤、例えばメチルクロロイソチアゾリノン及びメチルイソチアゾリノン（Ｒｏｈｍ＆Ｈａａｓ社により販売されているＫａｔｈｏｎ（登録商標）ＣＧ）、更にはｐＨを調節するための緩衝剤、浸透圧を調節するための添加剤、例えば塩（塩化若しくは硫酸ナトリウム、塩化カルシウム等）又は糖（グルコース）又は多糖（デキストラン糖）を含有することもできる。
塩、糖及び／又は多糖の濃度は外部（Ｗｅ）及び内部（Ｗｉ）相の浸透圧が平衡化するような濃度である。
【００９８】
本発明の第一の特定の実施形態によれば、疎水性相（Ｏ）に含有される又はこれを構成する活性材料（Ａ）は紡織繊維製物品のケア又は洗浄の分野において有用な疎水性活性材料であり、外部相（Ｗｅ）は少なくとも１種の非イオン性親水性界面活性剤と少なくとも１種の陰イオン性親水性界面活性剤との混合物に、少なくとも１種の非イオン性親水性（両親媒性）ポリマーを随意に組み合わせて作った分散剤及び／又は安定剤（Ｄｅ）を含有する水性液体洗剤処方物である。外部水性相（Ｗｅ）中の親水性化合物（Ｄｅ）の濃度は１０重量％〜６０重量％、好ましくは１５重量％〜５０重量％の範囲とすることができ、そのｐＨは６〜８の範囲とすることができる。非イオン界面活性剤／陰イオン界面活性剤の質量比は、固体で表して、３／１〜１／１の範囲とすることができる。
【００９９】
本発明の第二の特定の実施形態によれば、活性材料（Ａ）は紡織繊維製物品のケア又は洗浄の分野において有用な疎水性活性材料であり、外部相（Ｗｅ）は少なくとも１種の非イオン性親水性界面活性剤と少なくとも１種の陰イオン性親水性界面活性剤との混合物に、少なくとも１種の非イオン性親水性（両親媒性）ポリマーを随意に組み合わせて作った分散剤及び／又は安定剤（Ｄｅ）を含有する水混和性の非水性液体洗剤処方物である。非水性の外部相（Ｗｅ）中の親水性化合物（Ｄｅ）の濃度は１０重量％〜６０重量％、好ましくは１５重量％〜５０重量％の範囲とすることができる。非イオン性界面活性剤／陰イオン性界面活性剤の質量比は、固体で表して、３／１〜１／１の範囲とすることができる。
【０１００】
本発明の第三の特定の実施形態によれば、活性材料（Ａ）は紡織繊維製物品のケアの分野において有用な疎水性活性材料であり、外部相（Ｗｅ）は少なくとも１種の陽イオン性親水性界面活性剤及び／又は少なくとも１種の陽イオン性親水性（両親媒性）ポリマーに、少なくとも１種の非イオン性親水性界面活性剤及び／又は少なくとも１種の非イオン性親水性（両親媒性）ポリマーを随意に混合して作った分散剤及び／又は安定剤（Ｄｅ）を含有する水性液体すすぎ処方物である。非イオン性界面活性剤及び／又は非イオン性ポリマーが存在するときは、陽イオン／非イオン混合物の重量の最大５０重量％までを占めることができる。外部水性相（Ｗｅ）中の親水性化合物（Ｄｅ）の濃度は３．５重量％から２０重量％の範囲とすることができ、そのｐＨは２．５〜６の範囲とすることができる。
【０１０１】
本発明の第四の特定の実施形態によれば、活性材料（Ａ）は塗料の分野において有用な疎水性活性材料であり、外部相（Ｗｅ）は水性塗料処方物である。
【０１０２】
本発明の第五の特定の実施形態によれば、活性材料（Ａ）は身体又は髪のメークアップ又はケアの分野、及び身体、髪、歯又は口の衛生分野において有用な疎水性活性材料であり、外部相（Ｗｅ）は化粧用水性処方物、又は身体、髪、歯又は口の衛生用の処方物である。
【０１０３】
本発明に係る複合エマルジョン（Ｅｍ）は一つのみの反応器又は二つの反応器を必要とする技術を使用することによって得ることができる。
一反応器技術は以下の工程
（ａ）逆エマルジョン（Ｅｉ）の調製
（ｂ）剤及び／又は安定剤（Ｄｅ）を含有する外部相の調製
（ｃ）外部相を逆エマルジョン（Ｅｉ）に攪拌せずに導入
（ｄ）該混合物を攪拌
を実施することによって行うことができる。
逆エマルジョン（Ｅｉ）を調製する工程（ａ）は、先述の通りに行うことができる。
外部相（Ｗｅ）を調製する工程（ｂ）は、外部相（Ｗｅ）の成分（好ましくは水）と分散剤及び／又は安定剤（Ｄｅ）を混合することによって行うことができる。
【０１０４】
また、外部相（Ｗｅ）は保存剤及び浸透圧調節剤のような助剤を含むこともできる。
外部相の調整は室温で行うことができる。
しかしながら、外部相（Ｗｅ）は逆エマルジョン（Ｅｉ）を調製する温度領域で調製するのが有利であろう。
外部相（Ｗｅ）が得られた後は、撹拌せずに、工程（ｃ）中で逆エマルジョン（Ｅｉ）に加える。
次に、外部相（Ｗｅ）の全部を逆エマルジョン（Ｅｉ）に導入した後は、その混合物を撹拌する（工程（ｄ））。
有利には、撹拌は中程度の−剪断混合機を用いて実施する。例えばフレームパドルを備えた攪拌機、プレナリー型ミキサー、或いは、可動式ドクターブレード及び反対方向に回転する（向流撹拌）パドルを有するミキサーを使用する。
好ましくは、撹拌操作は疎水性相（Ｏ）が液体状にある温度で、より特別には１０〜８０℃の温度で行う。
【０１０５】
内部逆エマルジョン（Ｅｉ）の小滴の平均径は有利には１〜１００μｍ、より特別には１〜２０μｍ、有利には５〜１５μｍの範囲である。累積分布の５０％に等しい小滴の直径を表す体積メジアン径（ｄ５０）に対応する平均小滴径は、Ｈｏｒｉｂａ社製の装置及び／又は光学顕微鏡を用いて測定される。
エマルジョン（Ｅｍ）の種々の成分は上述した量で使用することができる。
（Ｗｅ）が水性相のときは、水性相のｐＨ値には制限はないが、塩基（水酸化ナトリウム又は水酸化カリウム）又は酸（塩酸）を加えることによって外部水性相のｐＨを調整することが有利であろう。
例示的には、外部水性相の通常のｐＨ範囲は０〜１４、好ましくは２〜１１、より好ましくは５〜１１である。
【０１０６】
この撹拌工程（ｄ）の後、濃縮複合エマルジョンが得られる。その逆エマルジョン／外部相（Ｗｅ）の重量比は５０／５０〜９９／１、好ましくは７０／３０〜９８／２、最も特別には７０／３０〜８０／２０の範囲とすることができる。
【０１０７】
二反応器技術は以下の工程： 
（ａ）分散剤及び／又は安定剤（Ｄｅ）を含有する外部相（Ｗｅ）を上記と同様に調製
（ｂ）逆エマルジョン（Ｅｉ）を上記と同様に調製
（ｃ）逆エマルジョン（Ｅｉ）を外部相（Ｗｅ）に撹拌しながら徐々に導入
を実施することによって行うことができる。
実際の複合エマルジョンを調製する工程（ｃ）は撹拌しながら行う。撹拌はフレームパドルを用いて行うことができる。典型的には、撹拌速度は比較的遅く、４００ｒｐｍ程度である。
得られた複合エマルジョン（Ｅｍ）は一反応器技術により得たものと同様である。
【０１０８】
同様の複合エマルジョン（Ｅｍ）を調製するための別の二反応器技術は以下の工程：
（ａ）逆エマルジョン（Ｅｉ）を上記と同様に調製；調製した逆エマルジョン（Ｅｉ）を二つの部分に分割
（ｂ）分散剤及び／又は安定剤（Ｄｅ）を含有する外部相（Ｗｅ）を調製
（ｃ）外部相（Ｗｅ）を逆エマルジョン（Ｅｉ）の第一部分に攪拌せずに導入
（ｄ）該混合物を撹拌
（ｅ）逆エマルジョン（Ｅｉ）の残部を工程（ｄ）で得た複合エマルジョンに徐々に撹拌しながら導入
を使用する。
分散剤及び／又は安定剤（Ｄｅ）が安定剤（Ｄｉ）を構成する少なくとも１種の水溶性若しくは水分散性多糖（ＰＳＡ）を材料として作られるときは、複合エマルジョン（Ｅｍ）は疎水性（Ｏ）成分、安定剤（Ｄｉ）、及び外部相（Ｗｅ）成分から形成される混合物に対して高剪断撹拌操作を行うことで直接得ることができる。
【０１０９】
固体形態（Ｅｓ）
本発明の固体形態（Ｅｓ）にあるエマルジョンは、複合エマルジョン（Ｅｍ）の外部相に、以下を材料とするマトリクス（Ｍ）を加えることによって得ることができる。
−  乾燥及び随意的に結晶化した後に、複合エマルジョン（Ｅｍ）の外部相の存在中で、固体殻を形成することのできる水溶性若しくは水分散性化合物
−  複合エマルジョン（Ｅｍ）を吸着及び／又は吸収することができ、及び／又は水和することができ、と同時に固体形態を維持したままである、水溶性若しくは水分散性固体材料、或いは
−  複合エマルジョン（Ｅｍ）を吸着及び／又は吸収することができる不溶性固体材料
【０１１０】
複合エマルジョン（Ｅｍ）の外部相（Ｗｅ）は好ましくは水性である。
マトリクス（Ｍ）を形成することのできる材料の中では：
・  以下の水溶性若しくは水分散性の有機及び無機化合物：
−  ２０００〜１００，０００ｇ／ｍｏｌの分子量のポリエチレングリコール（ＰＥＧ）
−  エチレン不飽和カルボン酸若しくはその無水物とエチレン不飽和非イオン性モノマーとのコポリマー
−  天然若しくは合成由来の水溶性若しくは水分散性ポリペプチド（ＰＰ）
−  弱ポリ酸の類に属し、分子量が２００００ｇ／ｍｏｌ未満、好ましくは１０００〜５０００ｇ／ｍｏｌの分子量をもつ酸の形態にあるポリ電解質（ＰＥ）
−  分子量が２００００ｇ／ｍｏｌ未満、好ましくは１０００〜１００００ｇ／ｍｏｌであるポリビニルピロリドン（ＰＶＰ）
−  分子量が１０００００ｇ／ｍｏｌ未満で、好ましくは脱アセチル化度が８０ｍｏｌ％〜９９ｍｏｌ％、好ましくは８７ｍｏｌ％〜９５ｍｏｌ％のポリビニルアルコール（ＰＶＡ）
−  水分散性若しくは水溶性の膜形成性両性ポリマー（ＡＰ）
−  水溶性若しくは水分散性の糖、配糖体（オシド）又はポリホロシド（Ｏｚ）
−  アミノ酸（ＡＡ）、又はアミノ酸の水溶性若しくは水分散性の塩
−  クエン酸
−  脂肪酸
−  尿素
−  界面活性剤（ＳＡ）（水−界面活性剤の二相図は、２５℃においては界面活性剤の濃度が少なくとも５０重量％となるまでは流体である等方相と、更に高濃度での六方晶又は立方晶型の硬質液晶相（少なくとも６０℃までは安定である。）とを有する。）
−  水溶性若しくは水分散性のアルカリ金属塩、例えばケイ酸アルカリ金属（Ｓｉｌ）、炭酸塩（Ｃａｒｂ）、リン酸塩（Ｐｈｏｓ）、硫酸塩、ホスホン酸塩、酢酸塩又はクエン酸塩、及び飽和若しくは不飽和脂肪酸の塩（ステアリン酸塩）、及び酢酸ナトリウムとクエン酸との混合物、或いは
−  これらの混合物
・  更には、不溶性の多孔質材料、例えばアルカリ土類金属の炭酸塩又は粘土
を挙げることができる。
【０１１１】
エチレン不飽和カルボン酸若しくはその無水物とエチレン不飽和非イオン性モノマーとのコポリマーの中では、エチレン不飽和性で直鎖状若しくは分枝状の脂肪族、脂環式又は芳香族のモノカルボン酸、ポリカルボン酸又はその無水物と２〜２０個の炭素原子をもつα−モノオレフィンとのコポリマーが挙げられる。
酸又はその無水物のモノマーの中では、３〜１０個の炭素原子をもつもの、好ましくは次式：
（Ｒ2’）（Ｒ2’’）Ｃ＝Ｃ（Ｒ2’’’）ＣＯＯＨ
（式中、Ｒ2’、Ｒ2’’及びＲ2’’’は同一の又は異なるものであり、
・  水素原子、
・  １〜４個の炭素原子をもつ炭化水素ベースの基、好ましくはメチル、
・  −ＣＯＯＨ基、
・  −Ｒ−ＣＯＯＨ基（但し、Ｒは１〜４個の炭素原子をもつ炭化水素ベースの残基、好ましくは１又は２個の炭素原子をもつアルキレン残基、最も特別にはメチレンを表す。）
で表されるものが挙げられる。
好ましくは、Ｒ2’及びＲ2’’の少なくとも一方は水素である。
例示的には、アクリル酸、メタクリル酸、クロトン酸、マレイン酸、フマル酸、シトラコン酸又はイタコン酸又はそれらの無水物が挙げられる。
α−モノオレフィンモノマーの中では、エチレン、２−メチル−１−ペンテン、４−メチル−１−ペンテン、２−エチル−１−ブテン、ジイソブチレン（又は２，４，４−トリメチル−１−ペンテン）、及び２−メチル−３，３−ジメチル−１−ペンテンを特に挙げることができる。
２種類のモノマー間のモル比は３０／７０〜７０／３０の範囲であるのが好ましい。
好ましくは、式（ｉ）のコポリマーは無水マレイン酸と２，４，４−トリメチル−１−ペンテンとの重合から誘導される。
この種のコポリマーは当業者に周知である。この種のポリマーとしてはＲｈｏｄｉａＣｈｉｍｅ社よりＧｅｒｏｐｏｎ（登録商標）ＥＧＰＭ及びＴ３６（無水マレイン酸／ジイソブチレン）の商品名で販売されている製品、ＢＡＳＦ社よりＳｏｋａｌａｎ（登録商標）ＣＰ９の商品名で販売されている製品が挙げられる。
【０１１２】
水溶性若しくは水分散性の合成ポリペプチド（ＰＰ）の中では、アミノ酸又はアミノ酸前駆物質、特にアスパラギン酸、グルタミン酸又はそれらの前駆物質の重縮合、及び加水分解によって誘導されるホモポリマー又はコポリマーが挙げられる。これらのポリマーはアスパラギン酸又はグルタミン酸から誘導したホモポリマー、又はアスパラギン酸とグルタミン酸を任意の比率として誘導したコポリマー、又は、アスパラギン酸及び／又はグルタミン酸とその他のアミノ酸とから誘導したコポリマーの何れとしてもよい。共重合可能なアミノ酸の中では、グリシン、アラニン、ロイシン、イソロイシン、フェニルアラニン、メチオニン、ヒスチジン、プロリン、リシン、セリン、スレオニン、システイン等が挙げられる。
植物由来のポリペプチド（ＰＰ）の中では、植物由来の蛋白質が挙げられる。蛋白質は４０％に等しいかそれ未満、例えば５％〜４０％未満の加水分解度で加水分解されているのが好ましい。
植物由来の蛋白質の中では、指針としては、蛋白質を産生する種子、特にエンドウ、ソラマメ、ルピナス、豆及びレンズマメの種子から誘導した蛋白質；穀類の種子、特に小麦、大麦、ライ麦、トウモロコシ、米、オート麦及び雑穀の種子から誘導した蛋白質；油を産生する種子、特に大豆、落花生、ヒマワリ、菜種及びココナッツの種子から誘導した蛋白質；葉、特にアルファルファ及びイラクサの葉から誘導した蛋白質；そして、地下植物貯蔵器官、特にジャガイモ及びビート根の貯蔵器官から誘導した蛋白質を挙げることができる。
動物由来の蛋白質としては、例えば、筋蛋白、特にストロマの蛋白質、及びゼラチン；乳、特にカゼイン及びラクトグロブリンから誘導した蛋白質；魚の蛋白質が挙げられる。
蛋白質は好ましくは植物由来であり、より特別には大豆又は小麦に由来する。
【０１１３】
ポリ電解質（ＰＥ）は次の一般式：
（Ｒ1）（Ｒ2）Ｃ＝Ｃ（Ｒ3）ＣＯＯＨ
（式中、Ｒ1、Ｒ2及びＲ3は、同一の又は異なるものであり、
・  水素原子、
・  １〜４個の炭素原子をもつ炭化水素ベースの基、好ましくはメチル、
・  −ＣＯＯＨ基、
・  −Ｒ−ＣＯＯＨ基（但し、Ｒは１〜４個の炭素原子をもつ炭化水素ベースの残基、好ましくは１又は２個の炭素原子をもつアルキレン残基、最も特別にはメチレンを表す。）
を有するモノマーを重合することにより誘導されるものから選択することができる。
【０１１４】
非制限的な例としては、アクリル酸、メタクリル酸、マレイン酸、フマル酸、イタコン酸及びクロトン酸が挙げられる。
上記の一般式に対応するモノマーから得たコポリマー、及びこれらのモノマーとその他のモノマー（とりわけ、ビニル誘導体、例えばビニルアルコール及び共重合性アミド、例えばアクリルアミド又はメタクリルアミド）を使用して得たコポリマーも好適なコポリマーである。また、アルキルビニルエーテルとマレイン酸とから得たコポリマー、更にはビニルスチレンとマレイン酸とから得たコポリマーを挙げることもできる。これらは特に「Kirk-Othmer百科事典、題名“Encyclopedia of Chemical Technology” - Volume 18 - 3rd edition - Wiley interscience出版−1982年」に記載されている。
好ましいポリ電解質は低重合度である。ポリ電解質の重要平均分子量はより特別には２００００ｇ／ｍｏｌ未満である。好ましくは、１０００〜５０００ｇ／ｍｏｌである。
【０１１５】
両性ポリマー（ＡＰ）はｐＨの関数として陰イオン又は潜在的な陰イオン電荷と、ｐＨの関数として陽イオン又は潜在的な陽イオン電荷とを有するポリマーである。潜在的な陰イオン電荷又は潜在的な陽イオン電荷は陽イオン電荷の全数に対する陰イオン電荷の全数の比率の計算に考慮される。
両性の膜形成性ポリマー（ＡＰ）は一般に、水性ゲル透過クロマトグラフィ（ＧＰＣ）によって測定して、５０００００ｇ／ｍｏｌ未満の分子量を有する。
両性の膜形成性ポリマー（ＡＰ）は陰イオン性及び陽イオン性のエチレン不飽和モノマーから得ることができる。更に中性モノマーも含有するモノマーの混合物から得ることもできる。
陰イオン性エチレン不飽和モノマーはアクリル、メタクリル、フマル、マレイン又はイタコン酸又はそれらの無水物、Ｎ−メタクリロイルアラニン、Ｎ−アクリロイルヒドロキシグリシン等又はそれらの水溶性塩；スルホン化又はホスホン化した水溶性エチレン不飽和モノマー（例えばスルホプロピルアクリレート又はその水溶性塩、水溶性スチレンスルホネート、ビニルスルホン酸及びその水溶性塩、又はビニルホスホン酸及びその水溶性塩）から選択することができる。
陽イオン性エチレン不飽和モノマーは：
＊  アミノアクリロイル又はアクリロイロキシモノマー、例えばトリメチルアミノプロピルメタクリレート塩化物、トリメチルアミノエチル−アクリルアミド（若しくは−メタクリルアミド）塩化物若しくは臭化物、トリメチルアミノブチル−アクリルアミド（若しくは−メタクリルアミド）メチル硫酸、トリメチルアミノプロピルメタクリルアミドメチル硫酸（ＭＥＳ）、（３−メタ−アクリルアミドプロピル）トリメチルアンモニウム塩化物（ＭＡＰＴＡＣ）、（３−アクリルアミドプロピル）トリメチルアンモニウム塩化物（ＡＰＴＡＣ）、メタクリロイロキシエチルトリメチルアンモニウム−塩化物（若しくは−メチル硫酸）、及びアクリロイロキシエチルトリメチルアンモニウム塩化物；
＊  １−エチル−２−ビニルピリジニウム−臭化物、塩化物若しくはメチル硫酸；
＊  Ｎ，Ｎ−ジアルキルジアリルアミンモノマー、例えばＮ，Ｎ−ジメチルジアリルアンモニウム塩化物（ＤＡＤＭＡＣ）；
＊  ４級モノマー、例えばジメチルアミノプロピルメタクリルアミド塩化物、Ｎ−（３−クロロ−２−ヒドロキシプロピル）トリメチルアンモニウム塩化物（ＤＩＱＵＡＴ）等
から選択することができる。
【０１１６】
エチレン不飽和中性モノマーはアクリルアミド、Ｎ−イソプロピルアクリルアミド、Ｎ，Ｎ−ジメチルアクリルアミド、ジメチルアミノエチルメタクリレート（ＤＭＡＥＭＡ）、ジメチルアミノプロピルメタクリルアミド、ビニルアルコール、アルキル若しくはヒドロキシアルキル−アクリレート（若しくは−メタクリレート）、ポリオキシアルキレングリコール−アクリレート（若しくは−メタクリレート）等から選択することができる。
【０１１７】
両性ポリマー（ＡＰ）としては以下のコポリマー又はターポリマーを最も特別に挙げることができる。
＊  ＭＡＰＴＡＣ／アクリル若しくはメタクリル酸；ＤＩＱＡＴ／アクリル若しくはメタクリル酸；ＤＡＤＭＡＣ／アクリル若しくはメタクリル酸；
＊  ＭＥＳ／アクリル若しくはメタクリル酸／ＤＭＡＥＭＡ；
＊  ＭＡＰＴＡＣ／アクリル酸／アクリルアミド；ＭＡＰＴＡＣ／無水マレイン酸／アクリルアミド；ＭＡＰＴＡＣ／ビニルスルホン酸／アクリルアミド；
＊  ＤＡＤＭＡＣ／アクリル酸／アクリルアミド；ＤＡＤＭＡＣ／無水マレイン酸／アクリルアミド；ＤＡＤＭＡＣ／ビニルスルホン酸／アクリルアミド；
＊  ＤＩＱＵＡＴ／アクリル酸／アクリルアミド；ＤＩＱＵＡＴ／無水マレイン酸／アクリルアミド；ＤＩＱＵＡＴ／ビニルスルホン酸／アクリルアミド
陽イオン電荷の全数に対する陰イオン電荷の全数の比率は０．１〜１０の範囲となり得る。
【０１１８】
糖（Ｏｚ）には、アルドース（例えばグルコース、マンノース、ガラクトース及びリボース）、及びケトース（例えばフルクトース）が挙げられる。
配糖体は、糖分子同士の又は糖分子と非炭水化物分子の、脱水縮合によって得られる化合物である。好ましい配糖体には、炭水化物ユニットだけを結合することで形成されるホロシド、とりわけ、限られた数（すなわち通常は１０に等しいか又はそれ未満）の該ユニットのみを有するオリゴホロシド（又はオリゴ糖）がある。オリゴホロシドの例としては、スクロース、ラクトース、セロビオース、マルトース及びトレハロースが挙げられる。
水溶性若しくは水分散性ポリホロシド（又は多糖）は高度に解重合されており；これらは、例えば、P. Arnaudの著書である「“Cours de Chimie Organique”, Gaultier-Villars出版, 1987年」に記載されている。とりわけ、これらのポリホロシドの平均重量分子量は５０００００ｇ／ｍｏｌ未満、好ましくは２００００ｇ／ｍｏｌ未満である。
ポリホロシドの非限定的な例としては、セルロース及びセルロース誘導体（カルボキシメチルセルロース）及びカラゲーニンが挙げられ；高度に解重合されたポリホロシドにはデキストラン、デンプン、キサンタンガム及びガラクトマンナン（例えばグアル又はイナゴマメ）が挙げられる。上記の多糖は１００℃超の融点と、５〜５００ｇ／Ｌの水溶解度を有しているのが好ましい。
【０１１９】
アミノ酸（ＡＡ）としては、モノアミノ−モノカルボン酸（若しくは−ジカルボン酸）及びジアミノモノカルボン酸、並びにこれらの水溶性誘導体が挙げられる。
アミノ酸（ＡＡ）は酸塩基特性をもつ側鎖を有するのが好ましく；アルギニン、リシン、ヒスチジン、アスパラギン酸、グルタミン酸及びヒドロキシグルタミン酸から特に選択され；誘導体の形態でもよく（好ましくは水溶性である。）；例えば、ナトリウム、カリウム又はアンモニウム塩、具体的にはグルタミン酸、アスパラギン酸又はヒドロキシグルタミン酸のナトリウム塩である。
【０１２０】
マトリクス（Ｍ）を構成することのできる界面活性剤（ＳＡ）に関しては、流体等方相及び六方晶又は立方晶型の硬質液晶相についての記載が「R.G. Laughlinの著書、“The Aqueous Phase Behavior of Surfactants”、Academic Press出版、1994年」にある。放射線（Ｘ線及び中性子）散乱による同定法が「V. Luzzatiの著書、“Biological Membranes, Physical Fact and Function”、Academic Press出版、1968年」に記載されている。
より特別には、硬質液晶相は少なくとも５５℃に等しい温度までは安定である。流体等方相は注ぐことが可能であるが、硬質液晶相は注ぐことができない。
界面活性剤（ＳＡ）の中では、６〜２４個の炭素原子、好ましくは８〜１６個の炭素原子をもつ飽和若しくは不飽和で置換若しくは非置換の炭化水素ベースの鎖を有する、イオン性糖脂質界面活性剤、特にウロン酸の誘導体（ガラクツロン酸、グルクロン酸、Ｄ−マンヌロン酸、Ｌ−イズロン酸、Ｌ−グルロン酸等）、或いはそれらの塩が挙げられる。この種の製品は特許出願ＥＰ５３２３７０に特に記載されている。
界面活性剤（ＳＡ）のその他の例は両性界面活性剤であり、例えば両性アルキルポリアミン誘導体であり、具体的にはＲｈｏｎｅ−Ｐｏｕｌｅｎｃ社より販売されているＡｍｐｈｉｏｎｉｃ  ＸＬ（登録商標）、Ｍｉｒａｔａｉｎｅ  Ｈ２Ｃ−ＨＡ（登録商標）、更にはＢｅｒｏｌ  Ｎｏｂｅｌ社より販売されているＡｍｐｈｏｌａｃ  ７Ｔ／Ｘ（登録商標）及びＡｍｐｈｏｌａｃ  ７Ｃ／Ｘ（登録商標）である。
ケイ酸アルカリ金属（Ｓｉｌ）の中では、ＳｉＯ2／Ｍ2Ｏのモル比が１．６〜３．５であるものが特に挙げられる（Ｍはナトリウム又はカリウム原子を表す。）。
リン酸アルカリ金属若しくはアルカリ土類金属（Ｐｈｏｓ）の中では、無水ヘキサメタリン酸ナトリウム及び無水トリポリリン酸ナトリウムが特に挙げられる。
【０１２１】
炭酸塩の中では、ナトリウム又はカルシウム塩が特に挙げられる。
使用されるマトリクス（Ｍ）の量は、固体として表して、固体形態のエマルジョン（Ｅｓ）の重量の２０％〜８０％、好ましくは３０％〜７０％を占めるような量である。
【０１２２】
固体形態（Ｅｓ）にある複合エマルジョン（Ｅｍ）は、マトリクスの種類に応じて種々の方法で調製することができる。
８０℃未満の温度で溶解し且つ結晶性のマトリクス（例えば分子量が２０００〜１００００００ｇ／ｍｏｌ、好ましくは３０００〜５００００ｇ／ｍｏｌの範囲のポリエチレングリコール）であるときは、固体状の複合エマルジョン（Ｅｍ）は、約６０〜８０℃の温度で溶解するポリエチレングリコール（又はその水溶液）を複合エマルジョン（Ｅｍ）に加え、その後に換気オーブン中で薄膜として乾燥／冷却して結晶化し、そしてフレーク化する（薄片に剥がす）ことによって調製することができる。
【０１２３】
該方法の一変形例では、（Ｄｅ）を含有する溶融ポリエチレングリコール中に６０〜８０℃の温度で逆エマルジョン（Ｅｉ）を分散し、その後換気オーブン中で薄膜として乾燥／冷却して結晶化し、そしてフレーク化することによって複合エマルジョン（Ｅｍ）を調製する。
【０１２４】
水和、吸着及び／又は吸収後に固体形態を維持することのできる無水で多孔性及び／又は水和性の材料（好ましくは無機材料）でできたマトリクス、例えばトリポリリン酸ナトリウム又は炭酸ナトリウムのときは、サポート上に該材料上を置いて、随意に穏やかな乾燥を行うことによって固体形態に調製することができる。
【０１２５】
固体形態（Ｅｓ）のエマルジョン（Ｅ）を調製する一つの好適な形態によれば、複合エマルジョン（Ｅｍ）の外部水性相は、複合エマルジョンを乾燥するための添加剤として、１００℃未満では溶解しない少なくとも１種の水溶性若しくは水分散性の化合物（Ｍ）を含む。具体的には、該化合物が存在すると、複合エマルジョンを乾燥（換言すれば、該エマルジョンから外部水を除去）して、顆粒（又は任意の形態）を得ることが可能となる。
【０１２６】
複合エマルジョン（Ｅｍ）は、分散剤及び／又は安定剤（Ｄｅ）を好ましくは含む水で希釈し、マトリクス（Ｍ）に導入して、その後に乾燥するのが有利である。
乾燥操作（外部水性相の水の除去）は当業者に知られた任意の手段で行うことができる。
好ましくは、乾燥は外部水性相の少なくとも９０重量％が除去されるように行う。
乾燥はオーブン中で、好ましくは薄膜にして行うことができる。通常は、乾燥温度は１００℃に等しいか又はそれ未満である。より特別には、５０℃〜９０℃の温度が本方法を実施するのに好適である。
エマルジョンを乾燥する別の形態は“迅速な”方法である。噴霧乾燥、Ｄｕｐｒａｔ（登録商標）ドラム又は凍結乾燥（凍結−昇華）を使った乾燥がこの点において好適である。
噴霧乾燥は任意の公知の装置、例えば、ノズル噴射を組み合わせたスプレー塔や高温ガス流を用いたタービンを用いて通常の方法で実施することができる。ガス入口温度は約１００℃〜２００℃で、噴霧ガス出口温度は好ましくは５５〜１００℃である。これらの温度は指針として与えるものであり、種々の成分の熱安定性に依存する。その上、顆粒中で所望される最終的な水分量に応じて規定される。
有利には、顆粒の望ましい平均径（ｄ５０）は１００μｍ〜数ミリメートル（Ｓｙｍｐａｔｅｃ社）であり、好ましくは１００〜８００μｍである。そのような顆粒は二重効果アトマイザー（乾燥／顆粒化）を用いて直接得ることができる。また、単一効果アトマイザー（乾燥）とマトリクス（Ｍ）の材料を随意に含有する水を噴霧する顆粒化装置（流動床）を組み合わせて使用することで得ることもできる。
Ｄｕｐｒａｔ（登録商標）ドラム、又は例えば掻取りによって乾燥用サポートから分離される乾燥フィルムを迅速に得るための任意の手段を使用して行う複合エマルジョンの乾燥操作の場合は、フレーク又は粉末が得られ、これは随意に挽くことができる。必要であれば、該フレークは凝集顆粒を得るために後処理（例えば凝集工程）を受けてもよい。
有利には、得乾燥直後に得られた顆粒の平均径（ｄ５０）は１００μｍ〜数ミリメートル（Ｓｙｍｐａｔｅｃ社）であり、好ましくは１００〜８００μｍである。
固結防止剤及び充填剤（例えばシリカ、カオリン、二酸化チタン等）のような添加剤を顆粒に組み込むことができることに留意されたい。
これらの添加剤は乾燥中に又は事後添加することにより導入することができる。
【０１２７】
本発明の第二の主題は、少なくとも１種の疎水性活性材料（Ａ）を含有し及び／又はこれから成る液状若しくは溶解性の疎水性相（Ｏ）を有するエマルジョン（Ｅ）の使用であって、該エマルジョン（Ｅ）は、基材（Ｓ）に接触している水性媒体（Ｂ）として、少なくとも１種の疎水性活性材料（Ａ）を含有し及び／又はこれから成る前記疎水性相（Ｏ）を前記基材（Ｓ）へ運搬するための使用である。
前記エマルジョン（Ｅ）は：
・以下、
−  前記液状若しくは溶解性の疎水性連続相（Ｏ）、水性分散相（Ｗｉ）、及びこれら二相の界面における少なくとも１種の水溶性若しくは水分散性の安定剤（Ｄｉ）を有する内部逆エマルジョン（Ｅｉ）と
−  少なくとも１種の分散剤及び／又は安定剤（Ｄｅ）によって該内部エマルジョン（Ｅｉ）が分散している水性若しくは水混和性の外部相（Ｗｅ）と
を含む複合エマルジョン（Ｅｍ）の形態にあるか、
・以下、
−  水溶性若しくは水分散性の固体マトリクス（Ｍ）中に分散した前記逆エマルジョン（Ｅｉ）と
−  前記逆エマルジョン（Ｅｉ）と該マトリクス（Ｍ）の界面に位置し、随意に該マトリクス（Ｍ）中に分散している前記分散剤及び／又は安定剤（Ｄｅ）と
を含む固体の形態（Ｅｓ）（これは外部相（Ｗｅ）が水性である複合エマルジョン（Ｅｍ）として水中に分散可能である。）にある。
前記エマルジョン（Ｅ）中の、内部逆エマルジョン（Ｅｉ）の二相の界面における前記安定剤（Ｄｉ）は：
−  平均重合度（ＤＰ）が少なくとも１．５、好ましくは少なくとも２０、最も特別には少なくとも１００であり、
−  １質量％の水溶液としてのブルックフィールド粘度（２５℃）が２００００ｍＰａ．ｓ未満、好ましくは５０００ｍＰａ．ｓ未満、最も特別には１〜４５００ｍＰａ．ｓであり、
親油性のポリオルガノシロキサン置換基をもたない水溶性若しくは水分散性の多糖（ＰＳＡ）から選択される材料で作られる。
【０１２８】
前記基材（Ｓ）は、任意の材料（特に金属又は任意の天然、人工若しくは合成材料、或いはこれらの材料の混合物）で作ることができる。
【０１２９】
前記疎水性相（Ｏ）は好ましくは、その本質的特性又はそれに起因する利益を前記基材に付与することのできる活性材料で作る。
【０１３０】
外部水性媒体（Ｗｅ）はそれ自体が水性媒体（Ｂ）を構成することができ、エマルジョンを基材（Ｓ）に付着又は塗布し、そして乾燥することによって疎水性相及び疎水性活性材料が基材（Ｓ）へ放出される。
【０１３１】
本発明に係るエマルジョンは塗料、好ましくは水性塗料に使用することができ、又は、それ自体が塗料、好ましくは水性塗料を構成することができ、特に、建材、プラスター、セメント、木材等のような種類の表面上に撥水剤（該撥水剤は該表面上に塗料が付着して乾燥すると放出される。）を運搬するために使用することができる。
【０１３２】
金属を処理するために使用することもできる。
【０１３３】
同様に、本発明に係るエマルジョンは水性化粧用組成物中で使用することができ、又はそれ自体が水性化粧用組成物（保湿クリーム、サンクリーム、化粧（メークアップ）品、スタイリングジェル等）を構成することができる。疎水性相は任意の疎水性活性ケア材料（例えばコンディショニング剤、もつれほぐし剤（disentangling agent）等）、抗ＵＶ剤、顔料、染料等であるか又これらを含有することができる。
【０１３４】
また、本発明に係るエマルジョンは、肌に接触させることを意図した身体衛生又は家庭用クレンジング（例えば、ケア、クレンジング又は化粧落とし用の拭きもの、吸取り紙（ティッシュ）、生理用品（タオル）、おむつ等）のためのセルロース及び／又は合成由来の織布若しくは不織布を材料とした表面に、疎水性相（Ｏ）及び／又は疎水性相に含有される活性材料（Ａ）の本質的利益を与えるのに使用することもできる。斯かる利益は前記表面の製造中又は前記表面の後処理時に与えることができる。斯くして柔軟性、消臭性、芳香性、殺菌性等が付与され得る。
【０１３５】
また、本発明に係るエマルジョンは、疎水性、消臭性、殺菌性、芳香性等を付与するために、厚紙（cardboard）又は厚紙梱包の製造中に、又はその後処理用に使用することもできる。
【０１３６】
本発明の第二の主題はとりわけ、少なくとも１種の疎水性活性材料（Ａ）を含有し及び／又はこれから成る液状若しくは溶解性の疎水性相（Ｏ）を有するエマルジョン（Ｅ）の使用であって、該エマルジョン（Ｅ）は、基材（Ｓ）に接触している水性媒体（Ｂ）中で、少なくとも１種の疎水性活性材料（Ａ）を含有し及び／又はこれから成る前記疎水性相（Ｏ）を前記基材（Ｓ）へ運搬するために使用される。前記水性媒体は前記エマルジョン（Ｅ）の希釈及び／又は前記エマルジョン（Ｅ）の希釈後の乾燥によってエマルジョン（Ｅ）の不安定化及び／又は破壊を引き起こし、そして、疎水性相（Ｏ）中に含有される又はこれを構成する活性材料（Ａ）の基材（Ｓ）への供給及び／又は放出を引き起こすのに充分な体積を有する。
前記エマルジョン（Ｅ）は：
・以下、
−  前記液状若しくは溶解性の疎水性連続相（Ｏ）、水性分散相（Ｗｉ）、及びこれら二相の界面における少なくとも１種の水溶性若しくは水分散性の安定剤（Ｄｉ）を有する内部逆エマルジョン（Ｅｉ）と
−  少なくとも１種の分散剤及び／又は安定剤（Ｄｅ）によって該内部エマルジョン（Ｅｉ）が分散している水性若しくは水混和性の外部相（Ｗｅ）と
を含む複合エマルジョン（Ｅｍ）の形態にあるか、
・以下、
−  水溶性若しくは水分散性の固体マトリクス（Ｍ）中に分散した前記逆エマルジョン（Ｅｉ）と
−  前記逆エマルジョン（Ｅｉ）と該マトリクス（Ｍ）の界面に位置し、該マトリクス（Ｍ）中に随意に分散している前記分散剤及び／又は安定剤（Ｄｅ）と
を含む固体の形態（Ｅｓ）（これは外部相（Ｗｅ）が水性である複合エマルジョン（Ｅｍ）として水中に分散可能である。）にある。
前記エマルジョン（Ｅ）中の、内部逆エマルジョン（Ｅｉ）の二相の界面における前記安定剤（Ｄｉ）は：
−  平均重合度（ＤＰ）が少なくとも１．５、好ましくは少なくとも２０、最も特別には少なくとも１００であり、
−  １質量％の水溶液としてのブルックフィールド粘度（２５℃）が２００００ｍＰａ．ｓ未満、好ましくは５０００ｍＰａ．ｓ未満、最も特別には１〜４５００ｍＰａ．ｓであり、
親油性のポリオルガノシロキサン置換基をもたない水溶性若しくは水分散性の多糖（ＰＳＡ）から選択される材料で作られる。
【０１３７】
好ましくは、エマルジョン（Ｅ）は内部エマルジョン（Ｅｉ）が少なくとも７０重量％を占める複合エマルジョン（Ｅｍ）である。
【０１３８】
本発明の良好な実施のために、エマルジョン（Ｅｍ）と水性媒体（Ｂ）の相対的な量は前記エマルジョン（Ｅｍ）の体積の２倍〜１００倍希釈相当とすることができる。
【０１３９】
本発明に係るエマルジョンはとりわけ、疎水性活性材料をヒドロキシアパタイト表面（歯）、ケラチン表面（肌、髪又は頭皮）又はテキスタイル表面に運搬し及び付着させるのに有利である。
【０１４０】
前記基材（Ｓ）がヒドロキシアパタイト（歯）で出来ているときは、疎水性相は爽快感を与える疎水性剤、歯垢除去剤、防腐剤等を含有することができる。エマルジョン（Ｅ）は、洗い流され若しくは希釈されることが意図される歯科若しくは口腔衛生用の組成物中に含有されることができ、又はそれ自体が該組成物を形成することができる。そのような組成物は歯磨き粉、口内洗浄剤等とすることができる。
【０１４１】
前記基材（Ｓ）は特にケラチン表面（肌及び髪）とすることができる。疎水性相は任意の疎水性活性ケア材料（例えば、コンディショニング剤、もつれほぐし剤等）、抗ＵＶ剤、顔料、染料等であるか又これらを含有することができる。エマルジョン（Ｅ）は洗い落とされ若しくは希釈されることが意図される化粧組成物（特にシャンプー、ヘアコンディショナー、シャワージェル等）中に含有されることができ、又はそれ自体が該組成物を形成することができる。
【０１４２】
前記基材（Ｓ）は革でもよく、疎水性相は、基材に対して疎水性、柔らかさ、柔軟性、外的な薬剤からの保護等を与える任意の疎水性活性材料であるか又はこれを含有することができる。
【０１４３】
最も好ましくは、前記基材（Ｓ）はテキスタイル材料で作られる。
【０１４４】
テキスタイル基材は紡織繊維の形態とすることができ、或いは、天然紡織繊維（綿、亜麻又はその他の天然セルロース基材、羊毛等）、人工紡織繊維（ビスコース、レーヨン等）若しくは合成紡織繊維（ポリアミド、ポリエステル等）、又はこれらの混合物を原料とする物品の形態とすることができる。
【０１４５】
好ましくは、前記基材はセルロース基材（特に綿）製のテキスタイル表面である。
【０１４６】
前記疎水性相（Ｏ）は好ましくはテキスタイルケア剤を材料とするのが好ましい。
【０１４７】
前述したオルガノシリコン材料（Ｏ１）及び有機材料（Ｏ２）の具体例が使用に好適であり、最も特別にはオルガノシリコン材料（特にアミン含有材料）である。
【０１４８】
滑剤疎水性相（Ｏ１）又は（Ｏ２）によってテキスタイル基材へ付与される利益は特に、柔らかさ、防しわ性、アイロンがけ容易性、耐摩耗性（特に衣服の着用による経年劣化や繰り返しの洗浄操作からの保護）、弾力性、色彩保護、芳香性の持続等の性質の供与である。
【０１４９】
紡織繊維製の物品をケアする分野においてその他の利益を与えるその他の活性材料の中ではとりわけ香料が挙げられる。香料は好ましくは、オルガノシリコン（Ｏ１）又は有機（Ｏ２）材料で特にできている疎水性相（Ｏ）中に溶解する。
【０１５０】
テキスタイル基材が利益を得るべく存在している水性浴（Ｂ）には非常に多くの種類がある。限定的ではないが、浸漬、洗浄、すすぎ、パジング等の浴とすることができる。
【０１５１】
本発明に係るエマルジョン（Ｅ）は特に、洗剤組成物の場合はすすぎ操作中及び／又は主たる洗浄操作後の乾燥操作中に、すすぎ組成物の場合は乾燥操作中に、疎水性ケア剤（テキスタイルケア剤）及び／又は任意のその他の疎水性活性材料を運搬し、紡織繊維製（特に綿）の物品上への前記剤又は材料の付着を促進することを目的とした、紡織繊維製の物品の洗浄又はすすぎを行うための洗剤組成物中の添加剤として、或いは紡織繊維製の物品の洗浄又はすすぎを行うための洗剤又はすすぎ組成物として使用することができる。
【０１５２】
具体的には、洗濯機で洗濯物を洗浄するための洗剤組成物として又は洗剤組成物中で、複合エマルジョン（Ｅｍ）の形態又は疎水性ケア相（Ｏ）を含有する水分散性固体（Ｅｓ）の形態にあるエマルジョン（Ｅ）を洗浄サイクル中で使用すると、すすぎサイクル中に柔軟すすぎ液を添加することなく、洗濯後の洗濯物は柔らかさ、柔軟性、防しわ性、アイロンがけ容易性、耐摩耗性、弾力性、色彩保護、芳香性の持続等の性質が与えられることを見いだした。
【０１５３】
また、洗濯物をすすぐためのすすぎ組成物として又はすすぎ組成物中で、複合エマルジョン（Ｅｍ）の形態又は疎水性ケア相（Ｏ）を含有する水分散性固体（Ｅｓ）の形態にあるエマルジョン（Ｅ）を使用すると、乾燥後の洗濯物は柔らかさ、柔軟性、防しわ性、アイロンがけ容易性、耐摩耗性、弾力性、色彩保護、芳香性の持続等の性質が与えられることを見いだした。
【０１５４】
活性材料（Ａ）を含有する又はこれから成る疎水性相（Ｏ）の基材への付着は吸着、共結晶化、捕獲及び／又は粘着による付着とすることができる。
【０１５５】
本発明の第三の主題によれば、紡織繊維製の物品を洗浄するための組成物中に存在することのできる複合エマルジョン（Ｅｍ）の形態又は水分散性固体（Ｅｓ）の形態にあるエマルジョン（Ｅ）の量は、（複合エマルジョン（Ｅｍ）として表される）エマルジョンと水性媒体（Ｂ）の相対的な量を前記エマルジョン（Ｅｍ）の体積の２倍〜１００倍希釈相当として、疎水性相（Ｏ）の量が該組成物の全重量の０．０００１％〜２５％、好ましくは０．０００１％〜５％に相当するような量である。
【０１５６】
本発明の第三の主題によれば、紡織繊維製の物品のすすぎを行うための組成物中に存在することのできる複合エマルジョン（Ｅｍ）の形態にあるエマルジョン（Ｅ）の量は、（複合エマルジョン（Ｅｍ）として表される）エマルジョンと水性媒体（Ｂ）の相対的な量を前記エマルジョン（Ｅｍ）の体積の２倍〜１００倍希釈相当として、疎水性相（Ｏ）の量が該組成物の全重量の０．０００１％〜２５％、好ましくは０．０００１％〜５％に相当するような量である。
【０１５７】
紡織繊維製物品用の圧縮粉若しくは非圧縮粉又は液体状の洗浄組成物は、陰イオン若しくは非イオン界面活性剤又はそれらの混合物から好ましくは選択される少なくとも１種の界面活性剤を含むことができる。
陰イオン界面活性剤の中では、（Ｃ8〜Ｃ15）アルキルベンゼンスルホナート（０〜３０重量％、好ましくは１〜２５重量％、より好ましくは２〜１５重量％の割合で）が挙げられる。
更に、第一若しくは第二硫酸アルキル（とりわけ第一硫酸（Ｃ8〜Ｃ15）アルキル）；硫酸アルキルエーテル；オレフィンスルホネート；アルキルキシレンスルホネート；スルホコハク酸ジアルキル；脂肪酸エステルスルホネートが挙げられ、ナトリウム塩が一般に好ましい。
非イオン界面活性剤の中では、第一若しくは第二アルコールエトキシレート（とりわけ、アルコール１モル当たり１〜２０モルのエチレンオキシドをもつＣ8〜Ｃ20の脂肪族アルコールエトキシレート、より特別にはアルコール１モル当たり１〜１０モルのエチレンオキシドをもつＣ10〜Ｃ15の第一若しくは第二脂肪族アルコールエトキシレート）が挙げられる。エトキシ化していない非イオン界面活性剤（例えばアルキルポリグルコシド、グリセロールモノエーテル及びポリヒドロキシアミド（グルカミド））も挙げられる。
非イオン界面活性剤の含量は０〜３０重量％、好ましくは１〜２５重量％、より好ましくは２〜１５重量％であるのが好ましい。
【０１５８】
界面活性剤の種類及び量は洗剤組成物の用途に依存する。手洗いで又は機械で洗濯するために選ばれる界面活性剤の体系は処方者にとって周知である。
手洗い用の組成物中には界面活性剤は６０重量％の量まで存在することができる。５〜４０重量％が機械でテキスタイルを洗濯するのに一般に好適である。典型的には、上記組成物には少なくとも２重量％、好ましくは２〜６０重量％、より好ましくは１５〜４０重量％、特に２５〜３５重量％が含まれる。
【０１５９】
陽イオン性モノアルキル界面活性剤を含有することも可能である。式Ｒ1Ｒ2Ｒ3Ｒ4Ｎ+Ｘ-（式中、基Ｒは長鎖若しくは短鎖炭化水素ベースのアルキル、ヒドロキシアルキル又はエトキシ化アルキル鎖であり、Ｘは対イオンである（Ｒ1はＣ8〜Ｃ22、好ましくはＣ8〜Ｃ10、又はＣ12〜Ｃ14のアルキル基であり、Ｒ2はメチル基であり、Ｒ3及びＲ4は、同一の若しくは異なるものであってよく、メチル又はヒドロキシメチル基である。））で表される第４級アンモニウム塩；更には陽イオン性エステル（例えばコリンエステル）が挙げられる。
【０１６０】
大部分の洗濯機用の洗剤組成物は石鹸以外の陰イオン界面活性剤、非イオン界面活性剤、又はこれらの混合物、及び随意的に石鹸を一般に含有する。
【０１６１】
テキスタイルを洗濯するための洗剤組成物は少なくとも１種の洗剤助剤（“ビルダー”）を一般に含有する。洗剤助剤の全量は典型的には５〜８０重量％、好ましくは１０〜６０重量％である。
【０１６２】
無機助剤を挙げることができ、例えば炭酸ナトリウム、結晶若しくは非晶質アルミノケイ酸塩（固体として１０〜７０％、好ましくは２５〜５０％）、層状ケイ酸塩、無機リン酸塩（オルトリン酸、ピロリン酸及びトリポリリン酸のナトリウム塩）が挙げられる。とりわけ好適なアルミノケイ酸塩及びゼオライトに関する詳細はＷＯ  ０３／０２０８１９に記載されている。
また、有機洗剤助剤も挙げることができ、例えばポリアクリレート、アクリル酸／マレイン酸コポリマー及びアクリルホスフィナートのようなタイプのポリマー；ポリカルボキシレートモノマー（例えばシトレート、グルコネート、オキシジスクシネート、グリセリルモノ−，ジ−及びトリスクシネート、ジピコリネート、ヒドロキシエチルイミノジアセテート、マロネート又はスクシネートのアルキル又はアルケニルエステル）；スルホン化脂肪酸塩等が挙げられる。
好ましくは、有機洗剤助剤はシトレート（５〜３０重量％％、好ましくは１０〜２５重量％）又はアクリルポリマーであり、より特別にはアクリル酸／マレイン酸コポリマー（０．５〜１０重量％、好ましくは１〜１０重量％）である。
【０１６３】
圧縮若しくは非圧縮粉末で出来ているときは、該組成物は好ましくは漂白系、特に溶液中に酸素を放出することのできる過酸化物、例えば無機過酸塩（過ホウ酸塩、過炭酸塩、過リン酸塩、過ケイ酸塩及び過硫酸塩、好ましくは過ホウ酸ナトリウム１水和物若しくは４水和物、及び過炭酸ナトリウム）又は有機ペルオキシ酸（過酸化尿素）を含有することができる。
過酸化物漂白化合物は０．１〜３５重量％、好ましくは０．５〜２５重量％の比率で存在するのが有利である。低温での漂白性を向上するために漂白活性剤と組み合わせることも出来る。これは０．１〜８重量％、好ましくは０．５〜５重量％の量で存在するのが有利である。好ましい活性剤は過酸化カルボン酸、特に過酢酸及び過ノナン酸である。最も特別にはＮ，Ｎ，Ｎ’，Ｎ’−テトラアセチルエチレンジアミン（ＴＡＥＤ）及びノナノイルオキシベンゼンスルホン酸ナトリウム（ＳＮＯＢＳ）を挙げることができる。
【０１６４】
また、上記組成物は１種又は２種以上の酵素（特にプロテアーゼ、アミラーゼ、セルラーゼ、オキシダーゼ、ペルオキシダーゼ及びリパーゼ）（０．１〜３重量％）、芳香剤（香料）、再付着防止剤、汚染防止剤、色移り中和剤、非イオン性柔軟剤等を含有するのが一般的である。
【０１６５】
また、テキスタイルを洗浄するための洗剤組成物は、洗剤媒体（例えばポリビニルアルコール）中に分散する材料で作った外皮に入った非水性液状タブレットの形態とすることもできる。
該組成物は少なくとも１種の水混和性アルコール（特にイソプロピルアルコール等）を５重量％〜２０重量％の範囲で変動し得る量で含有する。
該組成物は陰イオン及び非イオン界面活性剤、又はそれらの混合物から好ましく選択される少なくとも１種の界面活性剤を２０重量％〜７５重量％の範囲で変動し得る量で含有することができる。
また、該組成物は有機洗剤助剤（“ビルダー”）（例えばクエン酸ナトリウム、ホスホネート等）を５重量％〜２０重量％の範囲で変動し得る量で含有することができ、更には芳香剤、染料等も含有することができる。
【０１６６】
紡織繊維製物品のすすぎを行うための組成物は陽イオン又は非イオン性柔軟剤を含むことができる。該柔軟剤はすすぎ組成物の重量の０．５％〜３５％、好ましくは１〜３０％、より好ましくは３〜２５％を占めることができる。
陽イオン性柔軟剤は、少なくとも２０個の炭素原子をもつ単一のアルキル又はアルケニル鎖を有する実質的に水不溶性の第四級アンモニウム化合物であるか、或いは、好ましくは、少なくとも二つの極性頭部と少なくとも１４個の炭素原子をもつ二つのアルキル又はアルケニル鎖とをもつ化合物である。最も好ましくは、柔軟剤化合物は少なくとも１６個の炭素原子をもつ二つのアルキル又はアルケニル鎖を含有し、とりわけ少なくとも５０％のアルキル又はアルケニル基は１８個以上の炭素原子を有する。最も好ましくは、直鎖状のアルキル又はアルケニル鎖が支配的である。
【０１６７】
市販の柔軟すすぎ処方物中には、二本の長い脂肪鎖をもつ第四級アンモニウム化合物、例えば塩化ジステアリルジメチルアンモニウム又は塩化ジタローアルキルジメチルアンモニウムが非常によく用いられる。
【０１６８】
また、すすぎ組成物は非イオン性柔軟剤（例えばラノリン）を含むことができ；レシチン及びその他のリン脂質も好適である。また、すすぎ組成物は非イオン性安定剤（例えば、１０〜２０ｍｏｌのアルキレンオキシドをもつアルコキシ化したＣ8〜Ｃ22の直鎖状アルコール、Ｃ10〜Ｃ20のアルコール、及びこれらの混合物）を含むことができる。非イオン性安定剤は該組成物の０．１〜１０％、好ましくは０．５〜５％、最も特別には１〜４％を占める。第四級アンモニウム化合物及び／又はその他の陽イオン性柔軟剤対安定剤のモル比は好ましくは４０／１〜１／１、好ましくは１８／１〜３／１である。
【０１６９】
また、該組成物は脂肪酸（特にモノカルボキシル化（Ｃ8〜Ｃ24）アルキル若しくはアルケニル酸又はそれらのポリマー）を含むことができ、これらは好ましくは飽和した非鹸化物であり、例えばオレイン酸、ラウリン酸又はタロー酸である。これらは少なくとも０．１重量％、好ましくは少なくとも０．２重量％の割合で使用することができる。濃縮組成物中では、これらは０．５〜２０重量％、好ましくは１〜１０重量％の割合で存在することができる。第四級アンモニウム化合物及び／又はその他の陽イオン性柔軟剤対脂肪酸のモル比は好ましくは１０／１〜１／１０である。
【０１７０】
本発明の最後の主題は、エマルジョン（Ｅ）を基材（Ｓ）と共に水性媒体（Ｂ）に接触させることによって、水性媒体（Ｂ）に接触している基材（Ｓ）へ、エマルジョン（Ｅ）の液状若しくは溶解性の疎水性相（Ｏ）中に含有される又はこれを構成する少なくとも１種の活性材料（Ａ）を運搬する方法からなる。
前記エマルジョン（Ｅ）は：
・以下、
−  前記液状若しくは溶解性の疎水性連続相（Ｏ）、水性分散相（Ｗｉ）、及びこれら二相の界面における少なくとも１種の水溶性若しくは水分散性の安定剤（Ｄｉ）を有する内部逆エマルジョン（Ｅｉ）と
−  少なくとも１種の分散剤及び／又は安定剤（Ｄｅ）によって該内部エマルジョン（Ｅｉ）が分散している水性若しくは水混和性の外部相（Ｗｅ）と
を含む複合エマルジョン（Ｅｍ）の形態にあるか、或いは
・以下、
−  水溶性若しくは水分散性の固体マトリクス（Ｍ）中に分散した前記逆エマルジョン（Ｅｉ）と
−  前記逆エマルジョン（Ｅｉ）と該マトリクス（Ｍ）の界面に位置し、該マトリクス（Ｍ）中に随意に分散している前記分散剤及び／又は安定剤（Ｄｅ）と
を含む固体の形態（Ｅｓ）（これは複合エマルジョン（Ｅｍ）として水中に分散可能である。）にある。
前記エマルジョン（Ｅ）中の、内部逆エマルジョン（Ｅｉ）の二相の界面における前記安定剤（Ｄｉ）は：
−  平均重合度（ＤＰ）が少なくとも１．５、好ましくは少なくとも２０、最も特別には少なくとも１００であり、
−  １質量％の水溶液としてのブルックフィールド粘度（２５℃）が２００００ｍＰａ．ｓ未満、好ましくは５０００ｍＰａ．ｓ未満、最も特別には１〜４５００ｍＰａ．ｓであり、
親油性のポリオルガノシロキサン置換基をもたない水溶性若しくは水分散性の多糖（ＰＳＡ）から選択される材料で作られる。
【０１７１】
本発明の最後の主題はとりわけ、エマルジョン（Ｅ）を基材（Ｓ）と共に水性媒体（Ｂ）に接触させることによって、水性媒体（Ｂ）に接触している基材（Ｓ）へ、エマルジョン（Ｅ）の液状若しくは溶解性の疎水性相（Ｏ）中に含有される又はこれを構成する少なくとも１種の活性材料を運搬する方法を指向する。前記水性媒体（Ｂ）は前記エマルジョン（Ｅ）の希釈及び／又は前記エマルジョン（Ｅ）の希釈後の乾燥によってエマルジョン（Ｅ）の不安定化及び／又は破壊を引き起こし、そして、疎水性相（Ｏ）中に含有される又はこれを構成する活性材料（Ａ）の基材（Ｓ）への供給及び／又は放出を引き起こすのに充分な体積を有する。
前記エマルジョン（Ｅ）は：
・以下、
−  前記液状若しくは溶解性の疎水性連続相（Ｏ）、水性分散相（Ｗｉ）、及びこれら二相の界面における少なくとも１種の水溶性若しくは水分散性の安定剤（Ｄｉ）を有する内部逆エマルジョン（Ｅｉ）と
−  少なくとも１種の分散剤及び／又は安定剤（Ｄｅ）によって該内部エマルジョン（Ｅｉ）が分散している水性若しくは水混和性の外部相（Ｗｅ）と
を含む複合エマルジョン（Ｅｍ）の形態にあるか、或いは
・以下、
−  水溶性若しくは水分散性の固体マトリクス（Ｍ）中に分散した前記逆エマルジョン（Ｅｉ）と
−  前記逆エマルジョン（Ｅｉ）と該マトリクス（Ｍ）の界面に位置し、該マトリクス（Ｍ）中に随意に分散している前記分散剤及び／又は安定剤（Ｄｅ）と
を含む固体の形態（Ｅｓ）（これは複合エマルジョン（Ｅｍ）として水中に分散可能である。）にある。
前記エマルジョン（Ｅ）中の、内部逆エマルジョン（Ｅｉ）の二相の界面における前記安定剤（Ｄｉ）は：
−  平均重合度（ＤＰ）が少なくとも１．５、好ましくは少なくとも２０、最も特別には少なくとも１００であり、
−  １質量％の水溶液としてのブルックフィールド粘度（２５℃）が２００００ｍＰａ．ｓ未満、好ましくは５０００ｍＰａ．ｓ未満、最も特別には１〜４５００ｍＰａ．ｓであり、
親油性のポリオルガノシロキサン置換基をもたない水溶性若しくは水分散性の多糖（ＰＳＡ）から選択される材料で作られる。
【０１７２】
好ましくは、エマルジョン（Ｅ）は少なくとも７０重量％を逆エマルジョン（Ｅｉ）が占める複合エマルジョン（Ｅｍ）である。
【０１７３】
前記方法を実施するための条件は既述してある。
【実施例】
【０１７４】
以下の実施例は指針として与える。
実施例では下記を使用した。
・  疎水性相（Ｏ）及び活性材料（Ａ）としては、Ｒｈｏｄｉａ社より販売されているアミノシリコンオイルのＲｈｏｄｏｒｓｉｌ（登録商標）Ｅｘｔｒａｓｏｆｔ；
・  安定剤（Ｄｉ）としては、
−  Ｒｈｏｄｉａ社より販売されている解重合グアーＭｅｙｐｒｏ−Ｇａｔ（登録商標）７（重量平均分子量：約４７０００、重合度：約３００、水中濃度１％でのブルックフィールド粘度（２５℃）：１〜５ｍＰａｓ．ｓ）；
−  モノ酢酸セルロース（重合度：約３００、置換度：０．６７、水中濃度１％でのブルックフィールド粘度（２５℃）：１〜５ｍＰａｓ．ｓ）；
・  分散剤及び／又は安定剤（Ｄｅ）として、ＩＣＩ−Ｕｎｉｑｅｍａ社より販売されているＨＯ（ＣＨ２ＣＨ２Ｏ）X（ＣＨ（ＣＨ３）ＣＨ２Ｏ）Y（ＣＨ２ＣＨ２Ｏ）ZＨの式で表されるＡｒｌａｔｏｎｅ（登録商標）Ｆ１２７Ｇ
【０１７５】
実施例１：複合エマルジョン
逆エマルジョン（Ｅｉ）の組成：
・  以下から成る５０重量％の内部水性相：
水                                                        ９０重量部
Ｍｅｙｐｒｏ−Ｇａｔ（登録商標）７                        １０重量部
・  ５０重量％のアミノシリコンオイル相（Ｏ）
Ｒｈｏｄｏｒｓｉｌ（登録商標）Ｅｘｔｒａｓｏｆｔオイル  １００重量部
【０１７６】
逆エマルジョン（Ｅｉ）の調製：
内部水性相の調製
フレームパドル攪拌機（直径５４ｍｍ、速度４００ｒｐｍ）の付いた１Ｌの反応器へ室温で水を導入した。
次いでＭｅｙｐｒｏ−Ｇａｔ（登録商標）７を攪拌しながら室温で徐々に導入した。
この混合物を室温で２時間攪拌してＭｅｙｐｒｏ−Ｇａｔ（登録商標）７のゲルの粒子を均質に分散させた。この分散液は回転子−固定子型の装置（Ｕｌｔｒａ−Ｔｕｒｒａｘ  ＧＴ４５型）を使用して随意に剪断することができる。内部水性溶液／分散液のｐＨは５〜７．５であった。
【０１７７】
逆エマルジョンの調製
フレームパドル攪拌機（直径９０ｍｍ、速度４００ｒｐｍ）の付いた２Ｌの反応器へＲｈｏｄｏｒｓｉｌ（登録商標）Ｅｘｔｒａｓｏｆｔオイルを導入した。
次いで前記内部水性相を室温で４５分間かけて導入した。
攪拌を１５分間継続してエマルジョンを精製した。
逆エマルジョン（Ｅｉ）が得られ、その水性分散相（Ｗｉ）の粒径は１μｍであった（Ｅｘｔｒａｓｏｆｔオイルで予め希釈した又は希釈しない試料を光学顕微鏡で観察した。）
【０１７８】
複合エマルジョンの組成：
・  ９１重量％の上記逆エマルジョン（Ｅｉ）
・  ９重量％の外部水性相（Ｗｅ）（これは、１０重量％のＡｒｌａｔｏｎｅ（登録商標）Ｆ１２７Ｇを含有する水溶液、すなわち、
−  １０％のＡｒｌａｔｏｎｅ（登録商標）Ｆ１２７Ｇ（乾燥）
−  ９０％の水
の９重量部から得られる。）
【０１７９】
複合エマルジョンの調製：
外部水性相の調製
マグネット棒攪拌機の付いた０．５Ｌのビーカーへ水を導入し、ＡｒｌａｔｏｎｅＦ１２７Ｇ粉末を室温で攪拌しながら徐々に導入した。
この混合物を室温で１５分間攪拌して均質溶液（Ａｒｌａｔｏｎｅ  Ｆ１２７Ｇの１０％水溶液）を得た。
【０１８０】
二重エマルジョンの調製
上で調製した外部水性相を、フレームパドル攪拌機（直径９０ｍｍ）の付いた２Ｌの反応器内の上で得られた逆エマルジョン（Ｅｉ）へ室温で攪拌せずに迅速に加えた。  
次いでこの混合物を攪拌した（フレームパドル攪拌−直径９０ｍｍ、速度２００ｒｐｍ）。複合エマルジョンがすぐに得られ、精製のために該エマルジョンに対して攪拌を１０分間継続した。
【０１８１】
非注入性で粘性のあるクリームの形態にある濃縮複合エマルジョン（Ｅｍ）が得られた。内部逆エマルジョンの液滴（ｄ５０）の平均粒径は１０μｍ程度で、多分散性指数は低かった。
【０１８２】
実施例２：複合エマルジョン
１０重量部のＭｅｙｐｒｏ−Ｇａｔ（登録商標）７を１０重量部のモノ酢酸セルロースに置き換え、実施例１の手順に従って複合エマルジョンを調製した。
【０１８３】
実施例３：洗剤浴中でのＲｈｏｄｏｒｓｉｌ（登録商標）Ｅｘｔｒａｓｏｆｔオイルの綿への付着
試験
洗剤組成物を処方する者にとって周知の研究用Ｔｅｒｇｏｔｏｍｅｔｅｒ中で試験を行った。この機械によれば、６個の洗濯ドラムの存在によって、米国式パルス型洗濯機の機械的及び熱的効果が模擬される。一連の試験を同時に行うことができ、時間の節約になる。
【０１８４】
準備
ドラムを４０℃に加熱した。
硬度３０°ＨＴの水（希釈したＣｏｎｔｒｅｘｅｖｉｌｌｅ（登録商標）ミネラルウォーター）５００ｍＬを各ドラムに導入した。
機械洗濯用の洗剤粉末組成物５ｇを各ドラムに導入した（すなわち、１０ｇ／Ｌ）。
Ｔｅｒｇｏｔｏｍｅｔｅｒのスイッチを入れて（１００周期／分で５分間）洗剤を溶解した。
【０１８５】
洗浄サイクル
０．５ｇのＲｈｏｄｏｒｓｉｌ（登録商標）Ｅｘｔｒａｓｏｆｔオイルに対応する量の実施例１又は実施例２で調製した二重エマルジョンを各ドラムに導入した。各ドラムに三つのテリータオルの綿製試験片（１０ｃｍ×１０ｃｍ）に導入した。
【０１８６】
１００周期／分で２０分間、試験片を洗浄した。
【０１８７】
すすぎサイクル
次いで、これら四角い布を各々５分間として冷水で３回すすいだ。
【０１８８】
乾燥
これら四角い布を取り出して空気乾燥した。
【０１８９】
柔軟性の評価は、ブラインドテストにより訓練を受けた専門家のパネルが行った。
得られた結果は下記の表（“エマルジョン”）に示すが、比較１及び比較２によって得られた結果と比較した。
・  実施例１又は２の複合エマルジョンを加えずにＴｅｒｇｏｔｏｍｅｔｅｒで洗浄した（“比較１”）。
・  実施例１又は２の複合エマルジョンを加えずにＴｅｒｇｏｔｏｍｅｔｅｒで洗浄し、その後に市販の柔軟剤を三回目のすすぎ時に加えてすすいだ（“比較２”）。
【０１９０】
得られた性能を表に示す。
【表１】
2007519506.tif 000013
【国際調査報告】
2007519506.tif 000014
2007519506.tif 000015
2007519506.tif 000016
2007519506.tif 000017